(57)【要約】【課題】自身の部材の移動を監視するための監視用ＩＣタグを備えた所定の動作を行う装置を監視し、その監視結果を報知したり閲覧させたりする管理端末装置において、正規の認証部材を持った係員以外は、勝手に監視端末装置の操作を行うことができない監視システム及び管理端末装置を提供する。【解決手段】管理端末装置では、認証状態とするかを判定している認証処理及び、監視ボタン１０３、入力キー１０７等の入力手段からの入力を受け付け、処理を行う入力受付処理（図２１参照）が別々のプログラムで実施されている。入力受付処理において、種々のキーおよびボタンが押下されると（Ｓ５１，Ｓ５７、Ｓ６０，Ｓ６３：ＹＥＳ）、認証状態であるか否かを判断して、認証状態である場合にのみ（Ｓ５２，Ｓ５５，Ｓ５８，Ｓ６１，Ｓ６４：ＹＥＳ）、キー入力に従った処理を行う。【選択図】  図２１
2004240468.tif 000002
【特許請求の範囲】
【請求項１】
自身に設けられている部材の移動を監視するための監視用ＩＣタグを備えた所定の動作を行う装置と、前記監視用ＩＣタグによる監視結果である監視情報の収集を行う管理端末装置とをネットワークを介して接続した監視システムであって、
前記監視システムは、
他のＩＣタグと区別するための識別情報を記憶している認証用ＩＣタグを備えた認証部材を備え、
前記装置は、
前記監視用ＩＣタグと通信を行って前記監視用ＩＣタグを監視し、前記監視情報を作成するＩＣタグ監視装置を備え、
前記監視用ＩＣタグは、
他のＩＣタグと区別するための識別情報を記憶する識別情報記憶手段を備え、前記ＩＣタグ監視装置は、
前記監視情報を前記管理端末装置に送信する監視情報送信手段を備え、
前記管理端末装置は、
当該管理端末装置を操作するための指示を入力する入力手段と、
前記監視情報送信手段から送信された前記監視情報を受信する監視情報受信手段と、
当該監視情報受信手段が受信した前記監視情報を記憶する監視情報記憶手段と、
当該監視情報記憶手段に記憶されている前記監視情報を表示する監視情報表示手段と、
前記認証用ＩＣタグを監視するための情報である認証用登録情報を記憶する認証用登録情報記憶手段と、
前記認証用ＩＣタグを呼び出す認証用呼出波を送信する認証用呼出波送信手段と、
前記認証用ＩＣタグから返送される認証用反射波を受信する認証用反射波受信手段と、
当該認証用反射波受信手段が、前記認証用登録情報記憶手段に記憶されている前記認証用登録情報の中の識別情報と同一の識別情報を含む前記認証用反射波を受信した場合に、前記管理端末装置を認証状態とする第１認証判定手段と、
当該管理端末装置が認証状態である場合にのみ、前記入力手段による入力を可能とする入力制御手段と
を備えたことを特徴とする監視システム。
【請求項２】
前記管理端末装置は、前記入力手段から特定の信号の入力がある場合に、認証状態を否認証状態へ移行する認証解除手段を備えたことを特徴とする請求項１に記載の監視システム。
【請求項３】
前記管理端末装置は、前記認証用反射波受信手段が前記認証用登録情報記憶手段に記憶されている前記認証用登録情報の中の識別情報と同一の識別情報を含む前記認証用反射波を受信しない場合に、前記管理端末装置を否認証状態とする第２認証判定手段を備えたことを特徴とする請求項１に記載の監視システム。
【請求項４】
前記監視情報は、前記装置の前記部材の移動が発生した日付、時刻、監視結果及び前記監視用ＩＣタグが備えられている位置を特定する位置特定符号の少なくとも１つを含む履歴データであることを特徴とする請求項１に記載の監視システム。
【請求項５】
前記装置は、遊技機であることを特徴とする請求項１乃至４のいずれかに記載の監視システム。
【請求項６】
前記遊技機は、
当該遊技機を設置する遊技機設置台に前記遊技機を固定するための機枠と、
前記遊技機の本体を前記機枠に設置するための本体枠と、
遊技球が流下する遊技領域を保護するための前面枠と、
鍵と錠とで構成され、前記機枠と前記本体枠、及び前記本体枠と前記前面枠とを施錠する施錠装置と
を備え、
前記認証部材は前記鍵に備えられていることを特徴とする請求項５に記載の監視システム。
【請求項７】
前記管理端末装置は、
当該管理端末装置の内部を開放するための扉と、
鍵と錠とで構成され、前記扉を施錠する施錠装置と
を備え、
前記認証部材は前記鍵に備えられていることを特徴とする請求項１乃至６のいずれかに記載の監視システム。
【請求項８】
自身に設けられている部材の移動を監視するための監視用ＩＣタグ及び当該監視用ＩＣタグと通信を行うＩＣタグ監視装置を備えた所定の動作を行う装置とネットワークを介して接続し、前記監視用ＩＣタグによる監視結果である監視情報の収集を行い、他のＩＣタグと区別するための識別情報を記憶している認証用ＩＣタグを備えた認証部材の認証が可能な管理端末装置であって、
当該管理端末装置を操作するための指示を入力する入力手段と、
前記ＩＣタグ監視装置から送信された前記監視情報を受信する監視情報受信手段と、
当該監視情報受信手段が受信した前記監視情報を記憶する監視情報記憶手段と、
当該監視情報記憶手段に記憶されている前記監視情報を表示する監視情報表示手段と、
前記認証用ＩＣタグを監視するための情報である認証用登録情報を記憶する認証用登録情報記憶手段と、
前記認証用ＩＣタグを呼び出す認証用呼出波を送信する認証用呼出波送信手段と、
前記認証用ＩＣタグから返送される認証用反射波を受信する認証用反射波受信手段と、
当該認証用反射波受信手段が、前記認証用登録情報記憶手段に記憶されている前記認証用登録情報の中の識別情報と同一の識別情報を含む前記認証用反射波を受信した場合に、前記管理端末装置を認証状態とする第１認証判定手段と、
当該管理端末装置が認証状態である場合にのみ、前記入力手段による入力を可能とする入力制御手段と
を備えたことを特徴とする管理端末装置。
【請求項９】
前記入力手段から特定の信号の入力がある場合に、認証状態を否認証状態へ移行する認証解除手段を備えたことを特徴とする請求項８に記載の管理端末装置。
【請求項１０】
前記認証用反射波受信手段が前記認証用登録情報記憶手段に記憶されている前記認証用登録情報の中の識別情報と同一の識別情報を含む前記認証用反射波を受信しない場合に、前記管理端末装置を否認証状態とする第２認証判定手段を備えたことを特徴とする請求項８に記載の管理端末装置。
【請求項１１】
前記監視情報は、前記装置の前記部材の移動が発生した日付、時刻、監視結果及び前記監視用ＩＣタグが備えられている位置を特定する位置特定符号の少なくとも１つを含む履歴データであることを特徴とする請求項８に記載の管理端末装置。
【請求項１２】
前記装置は、遊技機であることを特徴とする請求項８乃至１１のいずれかに記載の管理端末装置。
【請求項１３】
前記遊技機は、
当該遊技機を設置する遊技機設置台に前記遊技機を固定するための機枠と、
前記遊技機の本体を前記機枠に設置するための本体枠と、
遊技球が流下する遊技領域を保護するための前面枠と、
鍵と錠とで構成され、前記機枠と前記本体枠、及び前記本体枠と前記前面枠とを施錠する施錠装置と
を備え、
前記認証部材は前記鍵に備えられていることを特徴とする請求項１２に記載の管理端末装置。
【請求項１４】
当該管理端末装置の内部を開放するための扉と、
鍵と錠とで構成され、前記扉を施錠する施錠装置と
を備え、
前記認証部材は前記鍵に備えられていることを特徴とする請求項８乃至１３いずれかに記載の管理端末装置。
【発明の詳細な説明】
【０００１】
【発明の属する技術分野】
本発明は、監視システム及び管理端末装置に関し、詳細には、自身の部材の移動を監視するための監視用ＩＣタグを備えた所定の動作を行う装置を監視する監視システム及び監視結果を報知したり閲覧させたりする管理端末装置に関する。
【０００２】
【従来の技術】
従来、所定の動作を行う装置の一種である遊技機のうちパチンコ機においては、遊技者が不当に遊技球を獲得する不正行為が後を絶たず、種々の防止策が施されている。特に、遊技機の制御を司る制御基板の不正改造、例えば、不正ＲＯＭへの交換を防止するために、制御基板を収納する基板ボックスには、様々な工夫が施されている。例えば、基板ボックスに封印シールを設けたり、また、制御基板に触われないように、基板ボックスを閉じるかしめ方向にのみ回転する封印ビスによって、基板ボックスの開放を困難にしているものがある（例えば、特許文献１参照）。さらに、可動接点を用いて収納ボックスの開閉を検出して、その検出信号を記憶して、発光ダイオードにより報知するようにしているものもある（例えば、特許文献２参照）。また、基板ボックスの表面にＩＣタグを貼着し、ＩＤ読取装置からの送信要求に応じてＩＣタグからその内部に記憶された識別情報をＩＤ読取装置に送信させ、識別情報を確認することにより、基板ボックスごと制御基板がすり替えられたか否かを判断するようになっているものもある（例えば、特許文献３参照）。
【０００３】
【特許文献１】
特開平１０−２１６１１４１号公報
【特許文献２】
特開平９−３４３６５号公報
【特許文献３】
特開２０００−２８８２１８号公報
【０００４】
しかし、封印シールを用いるものでは、基板ボックスを開放して不正ＲＯＭへの交換が終了した後に、精巧な偽造封印シールを張られてしまうと基板ボックスが開閉されたか否かを判断することは困難だった。また、封印ビスを用いるものでは、特殊な工具で強制的に封印ビスを開放方向へ回して基板ボックスを開放して不正ＲＯＭへの交換が行われてしまうことがあった。さらに、可動接点を用いて基板ボックスの開閉を検出するものでは、基板ボックスは、通常透明の樹脂により形成されているために、収納ボックスの開閉を検出する可動接点が用いられているのが目視により分かり、基板収納ボックスの隙間から、ピアノ線などを入れて可動接点が動かないようにされてしまい、基板ボックスの開閉を検出することができなくなると言う問題点があった。さらに、上記の従来技術では、基板ボックスが開閉されたか否かは、制御基板を目視しないと判断できないという問題点があり、このような不正行為は夜間に行われることが多いが、遊技場に何百台とある遊技機を毎朝点検確認するのは煩雑であった。
【０００５】
そこで、本出願人は特願２００２−２３２１９３号で遊技機の状態を監視する監視システム、遊技機及び装置管理システムを提案した。この出願では、遊技機の一種であるパチンコ機の基板ボックス及び大入賞口の開閉扉に監視用ＩＣタグを各々取り付け、これらの監視用ＩＣタグと通信するリーダライタユニット（ＩＣタグ監視装置）が、適時監視用ＩＣタグに呼出波を送信し、ＩＣタグから予めＩＣタグ監視装置に記憶されている監視用ＩＣタグのＩＤコードが含まれている反射波が返送されてくるか否かにより、部材の開閉を監視している。尚、大入賞口は通常は閉鎖された状態であり、この大入賞口が開放され、遊技機が入球すると遊技者は多数の遊技球を獲得できるため、薄いプラスチック板などで不正に開閉扉を開いて、遊技球を入賞させるという不正が発生している。そのため、大入賞口の開閉扉の開放の監視が必要となる。
【０００６】
【発明が解決しようとする課題】
しかしながら、特願２００２−２３２１９３号における発明において、いくら監視用ＩＣタグにより遊技機の部材の監視を行い、監視結果の履歴データを記録したとしても、係員が履歴データを見る前に不正を行った際の履歴データを削除されてしまっては、意味がない。遊技機の監視結果は管理機により報知されるが、夜間や休業日等の係員が不在である時間帯においては、管理機により報知が行われても対応する係員がいない。そこで、夜間や休業日に基板ボックスを開いて不正ＲＯＭに交換し、管理機の履歴データを削除してしまえば、基板ボックス自体を目視するまではＲＯＭの交換に気がつかないという問題がある。さらに、遊技場の営業時間中においても、不正を行う者が複数で犯行におよぶということが考えられる。例えば、一人の者がパチンコ機の前に座って遊技を行い、その他の者が管理端末装置付近に待機する。そこで、遊技を行っている者が不正に大入賞口を開放させ、管理端末装置に大入賞口の不正開放が報知されたら、管理端末装置付近に待機している者が遊技場の係員が報知に気づく前に、報知画面を削除してしまうと、係員は不正が行われたことに気が付かないとうい問題がある。
【０００７】
本発明は、上記問題を解決するためになされたものであり、自身の部材の移動を監視するための監視用ＩＣタグを備えた所定の動作を行う装置を監視し、その監視結果等の監視情報を報知したり閲覧させたりする管理端末装置において、正規の認証部材を持った係員以外は、勝手に監視端末装置の操作を行うことができない監視システム及び管理端末装置を提供することを目的としている。
【０００８】
【課題を解決するための手段】
上記課題を解決するため、請求項１に係る発明の監視システムでは、自身に設けられている部材の移動を監視するための監視用ＩＣタグを備えた所定の動作を行う装置と、前記監視用ＩＣタグによる監視結果である監視情報の収集を行う管理端末装置とをネットワークを介して接続した監視システムであって、前記監視システムは、他のＩＣタグと区別するための識別情報を記憶している認証用ＩＣタグを備えた認証部材を備え、前記装置は、前記監視用ＩＣタグと通信を行って前記監視用ＩＣタグを監視し、前記監視情報を作成するＩＣタグ監視装置を備え、前記監視用ＩＣタグは、他のＩＣタグと区別するための識別情報を記憶する識別情報記憶手段を備え、前記ＩＣタグ監視装置は、前記監視情報を前記管理端末装置に送信する監視情報送信手段を備え、前記管理端末装置は、当該管理端末装置を操作するための指示を入力する入力手段と、前記監視情報送信手段から送信された前記監視情報を受信する監視情報受信手段と、当該監視情報受信手段が受信した前記監視情報を記憶する監視情報記憶手段と、当該監視情報記憶手段に記憶されている前記監視情報を表示する監視情報表示手段と、前記認証用ＩＣタグを監視するための情報である認証用登録情報を記憶する認証用登録情報記憶手段と、前記認証用ＩＣタグを呼び出す認証用呼出波を送信する認証用呼出波送信手段と、前記認証用ＩＣタグから返送される認証用反射波を受信する認証用反射波受信手段と、当該認証用反射波受信手段が、前記認証用登録情報記憶手段に記憶されている前記認証用登録情報の中の識別情報と同一の識別情報を含む前記認証用反射波を受信した場合に、前記管理端末装置を認証状態とする第１認証判定手段と、当該管理端末装置が認証状態である場合にのみ、前記入力手段による入力を可能とする入力制御手段とを備えている。
【０００９】
この構成の監視システムでは、監視システムの認証部材に備えられた認証用ＩＣタグは、他のＩＣタグと区別するための識別情報を記憶している、装置のＩＣタグ監視装置は、監視用ＩＣタグと通信を行って監視用ＩＣタグを監視し、監視情報を作成する。また、監視用ＩＣタグの識別情報記憶手段は、他のＩＣタグと区別するための識別情報を記憶する。また、ＩＣタグ監視装置の監視情報送信手段は、監視情報を管理端末装置に送信する。また、管理端末装置の入力手段は、管理端末装置を操作するための指示を入力し、監視情報受信手段は、監視情報送信手段から送信された監視情報を受信し、監視情報記憶手段は、監視情報受信手段が受信した監視情報を記憶し、監視情報表示手段は、監視情報記憶手段に記憶されている監視情報を表示し、認証用登録情報記憶手段は、認証用ＩＣタグを監視するための情報である認証用登録情報を記憶し、認証用呼出波送信手段は、認証用ＩＣタグを呼び出す認証用呼出波を送信し、認証用反射波受信手段は、認証用ＩＣタグから返送される認証用反射波を受信し、第１認証判定手段は、認証用反射波受信手段が、認証用登録情報記憶手段に記憶されている認証用登録情報の中の識別情報と同一の識別情報を含む認証用反射波を受信した場合に、管理端末装置を認証状態とし、入力制御手段は、管理端末装置が認証状態である場合にのみ、入力手段による入力を可能とする。
【００１０】
また、請求項２に係る発明の監視システムでは、請求項１に記載の発明の構成に加えて、前記管理端末装置は、前記入力手段から特定の信号の入力がある場合に、認証状態を否認証状態へ移行する認証解除手段を備えたことを特徴とする構成となっている。
【００１１】
この構成の監視システムでは、請求項１に記載の発明の作用に加えて、管理端末装置の認証解除手段は、入力手段から特定の信号の入力がある場合に、認証状態を否認証状態へ移行する。
【００１２】
また、請求項３に係る発明の監視システムでは、請求項１に記載の発明の構成に加えて、前記管理端末装置は、前記認証用反射波受信手段が前記認証用登録情報記憶手段に記憶されている前記認証用登録情報の中の識別情報と同一の識別情報を含む前記認証用反射波を受信しない場合に、前記管理端末装置を否認証状態とする第２認証判定手段を備えたことを特徴とする構成となっている。
【００１３】
この構成の監視システムでは、請求項１に記載の発明の作用に加えて、管理端末装置の第２認証判定手段は、認証用反射波受信手段が認証用登録情報記憶手段に記憶されている認証用登録情報の中の識別情報と同一の識別情報を含む認証用反射波を受信しない場合に、管理端末装置を否認証状態とする。
【００１４】
また、請求項４に係る発明の監視システムでは、請求項１に記載の発明の構成に加えて、前記監視情報は、前記装置の前記部材の移動が発生した日付、時刻、監視結果及び前記監視用ＩＣタグが備えられている位置を特定する位置特定符号の少なくとも１つを含む履歴データであることを特徴とする構成となっている。
【００１５】
この構成の監視システムでは、請求項１に記載の発明の作用に加えて、監視情報は、装置の部材の移動が発生した日付、時刻、監視結果及び監視用ＩＣタグが備えられている位置を特定する位置特定符号の少なくとも１つを含む履歴データが用いられる。
【００１６】
また、請求項５に係る発明の監視システムでは、請求項１乃至４のいずれかに記載の発明の構成に加えて、前記装置は遊技機であることを特徴とする構成となっている。
【００１７】
この構成の監視システムでは、請求項１乃至４のいずれかに記載の発明の作用に加えて、装置は遊技機が用いられる。
【００１８】
また、請求項６に係る発明の監視システムでは、請求項５に記載の発明の構成に加えて、前記遊技機は、当該遊技機を設置する遊技機設置台に前記遊技機を固定するための機枠と、前記遊技機の本体を前記機枠に設置するための本体枠と、遊技球が流下する遊技領域を保護するための前面枠と、鍵と錠とで構成され、前記機枠と前記本体枠、及び前記本体枠と前記前面枠とを施錠する施錠装置とを備え、前記認証部材は前記鍵に備えられていることを特徴とする構成となっている。
【００１９】
この構成の監視システムでは、請求項５に記載の発明の作用に加えて、遊技機の機枠は、遊技機を設置する遊技機設置台に遊技機を固定し、本体枠は、遊技機の本体を機枠に設置し、前面枠は、遊技球が流下する遊技領域を保護する。また、施錠装置は鍵と錠とで構成され、機枠と本体枠、及び本体枠と前面枠とを施錠し、鍵は認証部材を備えている。
【００２０】
また、請求項７に係る発明の監視システムでは、請求項１乃至６のいずれかに記載の発明の構成に加えて、前記管理端末装置は、当該管理端末装置の内部を開放するための扉と、鍵と錠とで構成され、前記扉を施錠する施錠装置とを備え、前記認証部材は前記鍵に備えられていることを特徴とする構成となっている。
【００２１】
この構成の監視システムでは、請求項１乃至６のいずれかに記載の発明の作用に加えて、管理端末装置の扉は管理端末装置の内部を開放し、鍵と錠とで構成された施錠装置は扉を施錠する。また、鍵は認証部材を備えている。
【００２２】
また、請求項８に係る発明の管理端末装置では、自身に設けられている部材の移動を監視するための監視用ＩＣタグ及び当該監視用ＩＣタグと通信を行うＩＣタグ監視装置を備えた所定の動作を行う装置とネットワークを介して接続し、前記監視用ＩＣタグによる監視結果である監視情報の収集を行い、他のＩＣタグと区別するための識別情報を記憶している認証用ＩＣタグを備えた認証部材の認証が可能な管理端末装置であって、当該管理端末装置を操作するための指示を入力する入力手段と、前記ＩＣタグ監視装置から送信された前記監視情報を受信する監視情報受信手段と、当該監視情報受信手段が受信した前記監視情報を記憶する監視情報記憶手段と、当該監視情報記憶手段に記憶されている前記監視情報を表示する監視情報表示手段と、前記認証用ＩＣタグを監視するための情報である認証用登録情報を記憶する認証用登録情報記憶手段と、前記認証用ＩＣタグを呼び出す認証用呼出波を送信する認証用呼出波送信手段と、前記認証用ＩＣタグから返送される認証用反射波を受信する認証用反射波受信手段と、当該認証用反射波受信手段が、前記認証用登録情報記憶手段に記憶されている前記認証用登録情報の中の識別情報と同一の識別情報を含む前記認証用反射波を受信した場合に、前記管理端末装置を認証状態とする第１認証判定手段と、当該管理端末装置が認証状態である場合にのみ、前記入力手段による入力を可能とする入力制御手段とを備えている。
【００２３】
この構成の管理端末装置では、入力手段は、管理端末装置を操作するための指示を入力し、監視情報受信手段は、ＩＣタグ監視装置から送信された監視情報を受信し、監視情報記憶手段は、監視情報受信手段が受信した監視情報を記憶し、監視情報表示手段は、監視情報記憶手段に記憶されている監視情報を表示し、認証用登録情報記憶手段は、認証用ＩＣタグを監視するための情報である認証用登録情報を記憶し、認証用呼出波送信手段は、認証用ＩＣタグを呼び出す認証用呼出波を送信し、認証用反射波受信手段は、認証用ＩＣタグから返送される認証用反射波を受信し、第１認証判定手段は、認証用反射波受信手段が、認証用登録情報記憶手段に記憶されている認証用登録情報の中の識別情報と同一の識別情報を含む認証用反射波を受信した場合に、管理端末装置を認証状態とし、入力制御手段は、管理端末装置が認証状態である場合にのみ、入力手段による入力を可能とする。
【００２４】
また、請求項９に係る発明の管理端末装置では、請求項８に記載の発明の構成に加えて、前記入力手段から特定の信号の入力がある場合に、認証状態を否認証状態へ移行する認証解除手段を備えたことを特徴とする構成となっている。
【００２５】
この構成の管理端末装置では、請求項８に記載の発明の作用に加えて、認証解除手段は、入力手段から特定の信号の入力がある場合に、認証状態を否認証状態へ移行する。
【００２６】
また、請求項１０に係る発明の管理端末装置では、請求項８に記載の発明の構成に加えて、前記認証用反射波受信手段が前記認証用登録情報記憶手段に記憶されている前記認証用登録情報の中の識別情報と同一の識別情報を含む前記認証用反射波を受信しない場合に、前記管理端末装置を否認証状態とする第２認証判定手段を備えたことを特徴とする構成となっている。
【００２７】
この構成の管理端末装置では、請求項８に記載の発明の作用に加えて、第２認証判定手段は、認証用反射波受信手段が認証用登録情報記憶手段に記憶されている認証用登録情報の中の識別情報と同一の識別情報を含む認証用反射波を受信しない場合に、管理端末装置を否認証状態とする。
【００２８】
また、請求項１１に係る発明の管理端末装置では、請求項８に記載の発明の構成に加えて、前記監視情報は、前記装置の前記部材の移動が発生した日付、時刻、監視結果及び前記監視用ＩＣタグが備えられている位置を特定する位置特定符号の少なくとも１つを含む履歴データであることを特徴とする構成となっている。
【００２９】
この構成の管理端末装置では、請求項８に記載の発明の作用に加えて、監視情報は、装置の部材の移動が発生した日付、時刻、監視結果及び監視用ＩＣタグが備えられている位置を特定する位置特定符号の少なくとも１つを含む履歴データが用いられる。
【００３０】
また、請求項１２に係る発明の管理端末装置では、請求項８乃至１１のいずれかに記載の発明の構成に加えて、前記装置は遊技機であることを特徴とする構成となっている。
【００３１】
この構成の管理端末装置では、請求項８乃至１１のいずれかに記載の発明の作用に加えて、装置は遊技機が用いられる。
【００３２】
また、請求項１３に係る発明の管理端末装置では、請求項１２に記載の発明の構成に加えて、前記遊技機は、当該遊技機を設置する遊技機設置台に前記遊技機を固定するための機枠と、前記遊技機の本体を前記機枠に設置するための本体枠と、遊技球が流下する遊技領域を保護するための前面枠と、鍵と錠とで構成され、前記機枠と前記本体枠、及び前記本体枠と前記前面枠とを施錠する施錠装置とを備え、前記認証部材は前記鍵に備えられていることを特徴とする構成となっている。
【００３３】
この構成の管理端末装置では、請求項１２に記載の発明の作用に加えて、遊技機の機枠は、遊技機を設置する遊技機設置台に遊技機を固定し、本体枠は、遊技機の本体を機枠に設置し、前面枠は、遊技球が流下する遊技領域を保護する。また、施錠装置は鍵と錠とで構成され、機枠と本体枠、及び本体枠と前面枠とを施錠し、鍵は認証部材を備えている。
【００３４】
また、請求項１４に係る発明の管理端末装置では、請求項８乃至１３いずれかに記載の発明の構成に加えて、当該管理端末装置の内部を開放するための扉と、鍵と錠とで構成され、前記扉を施錠する施錠装置とを備え、前記認証部材は前記鍵に備えられている。
【００３５】
この構成の管理端末装置では、請求項８乃至１３いずれかに記載の発明の作用に加えて、扉は管理端末装置の内部を開放し、鍵と錠とで構成された施錠装置は扉を施錠する。鍵は認証部材を備えている。
【００３６】
【発明の実施の形態】
以下、本発明の一実施の形態について図面を参照して以下の順で説明する。
１．システム構成の概要説明
２．装置の説明
３．管理端末装置の説明
４．ＩＣタグ監視装置での監視に関する説明
５．監視端末装置で使用されるデータ及び画面イメージの説明
６．管理端末装置の操作に関する説明＜動作例１＞
７．管理端末装置の操作に関する説明＜動作例２＞
８．実施の形態と請求項との対比
９．実施の形態の効果
１０．変形例の説明
【００３７】
１．システム構成の概要説明
図１は、本実施の形態の監視システムの構成図である。本実施形態の監視システムでは、遊技機の一種であるパチンコ機１が「装置」として機能し、パチンコ機１に付属したリーダライタユニット（以下、「Ｒ／Ｗユニット」と称する。）３０が「ＩＣタグ監視装置」として機能する。パチンコ機１にはＲ／Ｗユニット３０が付属しており、遊技場内にある複数台のパチンコ機１を背中合わせに２列に並べて設置した遊技機設置島２００の各々に管理端末装置１００が設置されている。さらに、パチンコ機１に付属のＲ／Ｗユニット３０が店内ネットワーク１５０を介して管理端末装置１００に接続される構成となっている。また、管理端末装置１００は遊技場全体を管理するホールコンピュータ３００に接続されており、このホールコンピュータ３００が各管理端末装置１００を一括管理している。
【００３８】
また、パチンコ機１には、パチンコ機１の制御を行う基板が備えられている基板ボックス８０（図３参照）の上蓋部８０ａの内面の正面視右下に監視用ＩＣタグ８６が取り付けられており（図７参照）、遊技球の入賞により多数の遊技球を払い出す大入賞口１６の開閉扉１６ａ（図２参照）に、監視用ＩＣタグ１８６が貼り付けられている（図８参照）。そして、Ｒ／Ｗユニット３０がこれらの監視用ＩＣタグ８６，１８６に監視用呼出波をアンテナを介して送信して監視用ＩＣタグ８６，１８６が備えられた基板ボックス８０及び大入賞口１６の開閉の監視、即ち上蓋部８０ａ及び開閉扉１６ａの異常の監視を行っている。
【００３９】
また、監視の結果、異常が発生したり、異常が回復したりした場合には、その情報が監視情報としてＲ／Ｗユニット３０に記憶され、管理端末装置１００に送信される。そこで、管理端末装置１００は監視情報を報知し、その監視情報に対して遊技場内で係員が対応できるように構成されている。また、管理端末装置１００では、監視情報の履歴を閲覧したり、その監視情報を削除したりすることができる。
【００４０】
尚、図７に示す基板ボックス８０の上蓋部８０ａ及び図８に示す大入賞口１６の開閉扉１６ａが「部材」に相当し、開閉部材である上蓋部８０ａ及び開閉扉１６ａの開放が「部材の移動」に相当し、基板ボックス８０の上蓋部８０ａの内面の正面視右下及び大入賞口１６の開閉扉１６ａが「監視用ＩＣタグが備えられている位置」に相当している。本発明の監視システムでは、部材の移動を監視するために、被監視部材の１箇所又は複数の位置に監視用ＩＣタグを設置して、Ｒ／Ｗユニット３０が各監視用ＩＣタグに対して監視用呼出波を送信することにより被監視部材の移動を監視する。本実施の形態では、１つの被監視部材に対して１箇所の位置にしか監視用ＩＣタグを設置していないが、例えば、基板ボックス８０について言うならば、上蓋部８０ａの内面の正面視右下だけでなく、正面視左上にも監視用ＩＣタグを設置して、１つの被監視部材に対して複数の位置に監視用ＩＣタグを設置することにより被監視部材の監視を行ってもよい。
【００４１】
２．装置の説明
次に、図２を参照してパチンコ機１について説明する。図２は、パチンコ機１の前面枠１１１及び本体枠１１０を開いた状態をパチンコ機１の前面から見た斜視図である。図２に示すように、パチンコ機１は、遊技機設置島２００に固定される機枠１１２と、本体１１３を囲い固定している本体枠１１０と、遊技盤２を保護する前面枠１１１とから構成されている。鍵穴１２０に鍵１２１（図１１参照）を挿入し、鍵１２１を左方向へ回転させると前面枠１１１が手前に開き、鍵１２１を右方向へ回転させると本体枠１１０が手前に開く。
【００４２】
また、パチンコ機１の本体枠１１０の内部には本体１１３がはめ込まれており、本体１１３の正面の上半分の部分には、略正方形の遊技盤２が設けられ、遊技盤２には、ガイドレール３で囲まれた略円形の遊技領域４が設けられていおり、前面枠１１１は透明なガラス板１１１ａを保持し、遊技盤２を覆っている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられ、上皿５と下皿６との間には、スピーカー４８が設けられている。また、遊技領域４の下部には、大入賞口１６が設けられている。尚、遊技盤２には、上記以外に、種々の入賞口、電飾ランプ、風車、障害釘及び図柄表示装置等が設けられている。
【００４３】
次に、図３を参照して、パチンコ機１の背面の構造について説明する。図３はパチンコ機１の背面図である。図３に示すように、パチンコ機１の左下部背面には、パチンコ機１の主制御を司る主制御基板４１を収納した基板ボックス８０が設けられ、基板ボックス８０の右隣には音基板４３が、音基板４３の右隣上方には電源基板４２が、その下方には払出制御基板４５がそれぞれ透明な樹脂製のボックスに収められて配置されている。さらに、基板ボックス８０の上方には、遊技盤の裏面を保護し、各種配線を覆うセンターカバー９０が配置され、そのセンターカバー９０の外側にＲ／Ｗユニット３０が設置されている。尚、Ｒ／Ｗユニット３０の電源は、電源基板４２からではなく遊技機設置島２００の電源装置（図示外）から供給されている。
【００４４】
次に、図４を参照してパチンコ機１及びパチンコ機１に付属したＲ／Ｗユニット３０の主な構成要素の電気的構成について説明する。図４は、パチンコ機１及びパチンコ機１に付属したＲ／Ｗユニット３０の電気的構成を示すブロック図である。
【００４５】
パチンコ機１には、主制御基板４１、電源基板４２、音基板４３、図柄表示基板４４、払出制御基板４５、電飾基板４６、中継基板４７、発射基板６６が設けられている。主制御基板４１には、各種の演算処理を行うＣＰＵ５１が設けられており、フラグやカウンタ値やデータやプログラム等を記憶するＲＡＭ５２と、制御プログラム及び各種の初期値のデータや図柄表示装置（図示外）への表示内容のデータ等を記憶したＲＯＭ５３とが接続している、これらのＣＰＵ５１、ＲＡＭ５２及びＲＯＭ５３は１つのＬＳＩ５０として一体にモールディングされている。また、ＣＰＵ５１は、Ｉ／Ｏインターフェース５４に接続しており、Ｉ／Ｏインターフェース５４には、Ｒ／Ｗユニット３０へデータを引き渡すための出力ポート５５、音基板４３、図柄表示基板４４、払出制御基板４５、電飾基板４６、中継基板４７、発射基板６６が接続している。また、主制御基板４１、音基板４３、図柄表示基板４４、払出制御基板４５、電飾基板４６、中継基板４７、発射基板６６はそれぞれ電源基板４２に接続し、電源の供給を受けている。さらに、パチンコ機１には監視用ＩＣタグ８６及び監視用ＩＣタグ１８６が、それぞれの監視部材である基板ボックス８０及び大入賞口１６に貼り付けられている。
【００４６】
また、Ｒ／Ｗユニット３０には、Ｒ／Ｗユニット３０の制御を司るＣＰＵ３１が設けられており、ＣＰＵ３１にはフラグやデータ等を一時的に記憶するＲＡＭ３３、制御プログラム及び各種の初期値のデータ等を記憶したＲＯＭ３４、及び、登録情報３２１（図１２参照）を記憶するＥＥＰＲＯＭ３２が接続している。また、ＣＰＵ３１にはＩ／Ｏインターフェース３８が接続し、Ｉ／Ｏインターフェース３８には管理端末装置１００に接続するための店内ネットワーク１５０に接続する通信回路３７及びパチンコ機１の主制御基板４１の出力ポート５５と接続する入力ポート３６が接続している。さらに、ＣＰＵ３１には、監視用ＩＣタグ８６，監視用ＩＣタグ１８６へ呼出波を送信し、反射波を受信するためのＲＦ回路３５が接続している。さらに、ＲＦ回路３５にはパチンコ機１に設置されている監視用アンテナ６８及び監視用アンテナ１６８が接続している。監視用アンテナ６８は監視用ＩＣタグ８６と通信をし，監視用アンテナ１６８は監視用ＩＣタグ１８６と通信をする。
【００４７】
次に、図５及び図６を参照して監視用ＩＣタグ８６の構造について説明する。図５は、監視用ＩＣタグ８６の平面図である。図６は、監視用ＩＣタグ８６の電気的回路構成を示すブロック図である。監視用ＩＣタグ８６には、図６に示すように、Ｒ／Ｗユニット３０からの監視用呼出波に応答して監視用反射波を放出するＲＦ回路８６ａ、アンテナ８６ｂ、ＥＥＰＲＯＭ８６ｃが搭載されている。また、監視用ＩＣタグ８６は、図５に示すように、薄いフレキシブルプリント基板上にアンテナ８６ｂ及びＩＣチップ８６ｄが設けられており、ＩＣチップ８６ｄには、ＲＦ回路８６ａとＥＥＰＲＯＭ８６ｃとが一体となって構成されている。さらに、ＥＥＰＲＯＭ８６ｃには、監視用ＩＣタグ８６を他の監視用ＩＣタグから識別するための識別情報であるＩＤコードが上書消去禁止区域に記憶されている。
【００４８】
Ｒ／Ｗユニット３０から監視用アンテナ６８を介して監視用呼出波が送られてくると、アンテナ８６ｂがこれを受信するが、この監視用呼出波には搬送波成分が含まれており、これを受信してＲＦ回路８６ａで整流して直流電圧を得る。従って、監視用ＩＣタグ８６は、電池や外部電源を使用せずに必要な時にいつでもデータを発信することができる。データの発信は、ＥＥＰＲＯＭ８６ｃからＩＤコードを読み出して監視用反射波に乗せ、ＲＦ回路８６ａから監視用アンテナ６８に向けて送信する。
【００４９】
尚、監視用ＩＣタグ８６と監視用ＩＣタグ１８６とは、同様の構造をしており、監視用ＩＣタグ１８６もＲＦ回路、アンテナ、ＥＥＰＲＯＭを搭載し、薄いフレキシブルプリント基板上にアンテナ及びＩＣチップが設けられて、ＩＣチップには、ＲＦ回路とＥＥＰＲＯＭとが一体となって構成されている。そして、ＥＥＰＲＯＭには、監視用ＩＣタグ１８６を他の監視用ＩＣタグから識別するための識別情報であるＩＤコードが上書消去禁止区域に記憶されている。
【００５０】
次に、図７を参照して、基板ボックス８０を監視するために、基板ボックス８０に備えられた監視用ＩＣタグ８６及び監視用アンテナ６８について説明する。図７は基板ボックス８０の斜視図である。尚、被監視部材である基板ボックス８０に貼り付けられた監視用ＩＣタグ８６の貼り付け位置を示す位置特定符号を、本実施の形態では「ＢＯＸ」とする。
【００５１】
図７に示すように、基板ボックス８０は、透明な樹脂製の平面視略長方形の上蓋部８０ａと、同じく透明な樹脂製の平面視略長方形の下蓋部８０ｃとから構成されている。また、上蓋部８０ａに対向する下蓋部８０ｃ上には、パチンコ機１の主制御を司る主制御基板４１が配置されている。そして、上蓋部８０ａの裏面側には、小型で長方形の監視用ＩＣタグ８６（図５参照）が接着剤等で接着されている。主制御基板４１の右下端部には、切り欠きが設けられ、その切り欠き位置には監視用ＩＣタグ８６と電磁波によるＲＦ送受信を行うためのコイル状の監視用アンテナ６８が下蓋部８０ｃに設けられ、監視用アンテナ６８は同軸ケーブルによりＲ／Ｗユニット３０に接続されている。
【００５２】
尚、本実施形態において、監視用ＩＣタグ８６と監視用アンテナ６８は、１３．５６ＭＨｚの短波帯で通信を行っている。この周波数での通信はノイズによる影響を受けにくいので、パチンコ機１の設置環境に適している。監視用アンテナ６８と監視用ＩＣタグ８６との距離は、上蓋部８０ａと下蓋部８０ｃを組み付けた状態で約３ｍｍになるように配置されている。この距離間ではＲＦ送受信が可能であり監視用アンテナ６８を介したＲ／Ｗユニット３０からの呼び出しに監視用ＩＣタグ８６が応答することができ、監視用アンテナ６８と監視用ＩＣタグ８６との距離が約５ｍｍを超えると通信不能となるように設定されている。この通信可能距離は、監視用アンテナ６８のコイルの巻き数やリアクタンス値により調節が可能である。このように通信可能距離を設定することにより、上蓋部８０ａのわずかな隙間の開放であっても検知することができ、また、振動等によるわずかな揺れでは通信不能とならないように調整されている。また、上述したように、この周波数帯での通信はノイズによる影響を受けにくいが、他の電磁波を使用する部材からのノイズの影響による誤動作を少しでも防ぐために、監視用ＩＣタグ８６や監視用アンテナ６８は、ソレノイドを使用している賞品払出装置や発射モータから離した位置である主制御基板４１の右下端部に配置している。
【００５３】
次に、図８を参照して、所定条件の成立により開閉扉１６ａを開閉する可変入賞装置の一種である大入賞口１６が設けられているアタッカ部材１６０への監視用ＩＣタグ１８６の設置について説明する。図８は、開閉扉１６ａが開放されている状態のアタッカ部材１６０の斜視図である。尚、被監視部材である大入賞口１６の開閉扉１６ａに貼り付けられた監視用ＩＣタグ１８６の貼り付け位置を示す位置特定符号を、本実施の形態では「ＤＡＩ」とする。
【００５４】
図８に示すように、アタッカ部材１６０の開閉扉１６ａの表面には、前述した監視用ＩＣタグ１８６（図５参照）が貼り付けられ、さらに監視用ＩＣタグ１８６を覆うように装飾シール等が貼付されて遊技者からは見えないようになっている。また、アタッカ部材１６０の開口部１６ｂである大入賞口１６の周囲には、監視用ＩＣタグ１８６を囲むようにループ形状の監視用アンテナ１６８が設けられ、監視用アンテナ１６８は同軸ケーブルによりＲ／Ｗユニット３０に接続されている。
【００５５】
この監視用ＩＣタグ１８６は、送受信方向に指向性があり、監視用アンテナ１６８と平行に位置した場合のみ送受信可能である。大入賞口１６の閉鎖状態では、開閉扉１６ａが大入賞口１６の開口部１６ｂを塞いでおり、監視用ＩＣタグ１８６と監視用アンテナ１６８はほぼ同一平面上に位置しているので、送受信可能であり、監視用アンテナ１６８を介したＲ／Ｗユニット３０からの監視用呼出波に対して監視用ＩＣタグ１８６から監視用反射波が返される。一方、図８に示すように開閉扉１６ａが開くと、監視用ＩＣタグ１８６と監視用アンテナ１６８とは平行でなくなり、通信可能な臨界角度を超えるので、監視用ＩＣタグ１８６はＲ／Ｗユニット３０からの呼び出しに応答できなくなる。
【００５６】
また、監視用アンテナ１６８と監視用ＩＣタグ１８６間の通信も１３．５６ＭＨｚの短波帯で行われており、この周波数帯での通信はノイズによる影響を受けにくいが、他の電磁波を使用する部材からのノイズの影響による誤動作を少しでも防ぐために、開閉扉１６ａの動作を制御する大入賞口開放ソレノイド７０は、監視用ＩＣタグ１８６や監視用アンテナ１６８から離したアタッカ部材１６０の左奥に配置されている。
【００５７】
３．管理端末装置の説明
次に、管理端末装置１００の構成について図９を参照して説明する。図９は、管理端末装置１００の斜視図である。管理端末装置１００は、遊技機設置島２００の一端に取り付けられており、店内ネットワーク１５０を介して、各パチンコ機１に備えられたＲ／Ｗユニット３０に接続している。Ｒ／Ｗユニット３０がパチンコ機１に備えられた監視用ＩＣタグを監視し、エラーを検知した場合には、そのエラー情報がＲ／Ｗユニット３０から管理端末装置１００へ送信されてくるので、管理端末装置１００はエラーを報知する。また、監視結果の履歴である監視履歴情報１１４２（図１８参照）を閲覧したり、削除したりすることができる。
【００５８】
管理端末装置１００は略直方体の形状で、遊技機設置島２００の一端に取り付けられており、箱状の本体箱１１９の前面に開閉可能な操作扉１１８を備えている。また、図９における管理端末装置１００の正面左端部に操作扉１１８が軸支され、本体箱１１９に接続し、開閉可能となっている。また、操作扉１１８の外面右下には操作扉１１８の施錠を行うため鍵１２１を挿入する鍵穴１３０が設けられており、この鍵穴１３０に鍵１２１（図１１参照）を挿入し、右方向へ回転させると操作扉１１８が手前に開くようになっている。さらに、操作扉１１８の裏面の鍵穴１３０の近傍には、鍵１２１に埋め込まれている認証用ＩＣタグ１２６と通信を行うための認証用アンテナ１２８が備えられている。さらに、鍵穴１３０の左には認証ランプ１０６が備えられており、鍵穴１３０に正規の鍵１２１が挿入されて管理端末装置１００が認証状態となった場合に点灯する。さらに、後述する「５．管理端末装置の操作に関する説明＜動作例１＞」で使用される管理端末装置１００では、解除ボタン１１６が設けられている。尚、「６．管理端末装置の操作に関する説明＜動作例２＞」では、この解除ボタン１１６は存在しない。
【００５９】
また、管理端末装置１００の背面には、Ｒ／Ｗユニット３０とデータのやり取りを行うためのケーブル（図示外）が備えられ、遊技機設置島２００に設置されているパチンコ機１に備えられているＲ／Ｗユニット３０と接続している。また、操作扉１１８の外面には表示画面１０１、停止ボタン１０２、監視ボタン１０３、履歴ボタン１０４、クリアボタン１０５、入力キー１０７及び矢印キー１０８が備えられている。また、本体箱１１９の上面には警告ランプ１０９が備えられている。また、本体箱１１９の内部にはＣＰＵ９８、ＲＯＭ９７、ＲＡＭ１１３、ＥＥＰＲＯＭ１１４及びＲＦ回路１１５等（図１０参照）を備えた本体装置１２３が設けられており、操作扉１１８の外面に備えられている表示画面１０１、各種入力ボタン、入力キー、認証用ＩＣタグ１２６及び警告ランプ１０９とケーブル（図示外）で接続している。
【００６０】
また、表示画面１０１に表示される画面は、監視ボタン１０３及び履歴ボタン１０４を押下することにより、切り替えることができる。監視ボタン１０３を押下すると、監視モード画面が表示され、履歴ボタン１０４を押下すると、履歴モード画面が表示される。尚、起動時には、監視モード画面が表示されている。
【００６１】
監視モード画面では、管理端末装置１００に接続されているパチンコ機１のいずれかで基板ボックス８０及び大入賞口１６の不正開放が検出され、監視データがＲ／Ｗユニット３０から送信されてきた場合には、「１０４番台  大入賞口１６不正開放！！  １８：２２：５５」等のパチンコ機１の台番号、不正内容及び不正発生時刻が表示される。不正が発生していない場合には、「現在、正常稼働中」の表示がなされている。複数の不正が同時に発生した場合には、それらの報知画面が所定時間ごと、例えば５秒毎に切り替わり、繰り返し表示されるが、矢印キー１０８により順次、報知画面の切り替えを行ったり、入力キーにより報知画面の番号を入力することにより報知画面の切り替えを行ったりすることもできる。また、不正開放データがパチンコ機１のＲ／Ｗユニット３０から送信されてきた場合には、警告ランプ１０９が点灯し、遊技場の係員の注意を喚起するようになっており、停止ボタン１０２の押下により消灯させることができる。
【００６２】
また、履歴モード画面では、各パチンコ機１に備えられたＲ／Ｗユニット３０が基板ボックス８０及び大入賞口１６を監視した結果である監視情報を閲覧することができる。履歴ボタン１０４を押下することにより、履歴モード画面に切り替えられた場合には、監視情報の内、最も新しく作成された監視データから１０の監視データが表示される。
【００６３】
図９に示す例では、監視モード画面１０１ａが表示されており、エラー１、エラー２、エラー３の３つの不正が発生し、エラー２の内容を示す画面が表示されている。エラー２は、１０４番台で大入賞口１６の不正開放が１８時２２分５５秒に発生している。
【００６４】
次に、管理端末装置１００の電気的構成について図１０を参照して説明する。図１０は管理端末装置１００の電気的構成を示すブロック図である。図１０に示すように、管理端末装置１００は、各種の演算を行うＣＰＵ９８が設けられ、ＣＰＵ９８には、フラグやデータ等を一時的に記憶するＲＡＭ１１３と、制御プログラム及び各種の初期値のデータ等を記憶したＲＯＭ９７と、認証用登録情報１１４１、監視履歴情報１１４２等を記憶したＥＥＰＲＯＭ１１４と、Ｉ／Ｏインターフェース９９とが接続している。
【００６５】
また、ＣＰＵ９８には認証用ＩＣタグ１２６へ呼出波を送信し、反射波を受信するためのＲＦ回路１１５が接続している。さらに、ＲＦ回路１１５には認証用アンテナ１２８が接続している。認証用アンテナ１２８は認証用ＩＣタグ１２６と通信をする。また、Ｉ／Ｏインターフェース９９には、警告ランプ１０９、表示画面１０１、停止ボタン１０２、監視ボタン１０３、履歴ボタン１０４、クリアボタン１０５、認証ランプ１０６、入力キー１０７、矢印キー１０８及び警告ランプ１０９が備えられている。さらに、Ｉ／Ｏインターフェース９９は通信回路１１７を介して店内ネットワーク１５０に接続している。さらに、後述する「５．管理端末装置の操作に関する説明＜動作例１＞」で使用される管理端末装置１００では、解除ボタン１１６が設けられ、Ｉ／Ｏインターフェース９９に接続している。尚、「６．管理端末装置の操作に関する説明＜動作例２＞」では、この解除ボタン１１６は存在しない。
【００６６】
次に、鍵１２１の構造について図１１を用いて説明する。図１１は、鍵１２１の平面図である。尚、この鍵１２１が「認証部材」に相当する。図１１に示すように、鍵１２１は、把持部１２２のカバー内部に認証用ＩＣタグ１２６が埋め込まれている。この鍵１２１は、パチンコ機１の前面枠１１１及び本体枠１１０の開閉（図２参照）及び、管理端末装置１００の操作扉１１８（図９参照）の開閉及び認証に使用される。尚、この鍵１２１が「認証部材」に相当する。認証用ＩＣタグ１２６を鍵１２１に埋め込み、管理端末装置１００を認証状態とする認証部材と、パチンコ機１の前面枠１１１及び本体枠１１０の開閉させる鍵とを共用させることにより、遊技場の係員はパチンコ機１の鍵と管理端末装置１００の認証部材とを別々に管理する必要がない。
【００６７】
尚、認証用ＩＣタグ１２６は、把持部１２２のカバー内部に埋め込むために、細い円筒型（スティック型）に形成されている。また、その電気的回路構成は、監視用ＩＣタグ８６及び監視用ＩＣタグ１８６と同様で、認証用ＩＣタグ１２６もＲＦ回路、アンテナ、ＥＥＰＲＯＭを搭載している。円筒中にはアンテナ及びＩＣチップが設けられて、ＩＣチップには、ＲＦ回路とＥＥＰＲＯＭとが一体となって構成されている。そして、ＥＥＰＲＯＭには、監視用ＩＣタグ１２６を他のＩＣタグと識別するための識別情報であるＩＤコードが上書消去禁止区域に記憶されている。また、この鍵１２１は複数存在してもよい。ただし、その際には各鍵１２１に埋め込まれている認証用ＩＣタグ１２６のＩＤコードは、各認証用ＩＣタグ１２６毎に異なる。尚、鍵１２１はパチンコ機１の前面枠１１１及び本体枠１１０の開閉にも使用される。
【００６８】
４．ＩＣタグ監視装置での監視に関する説明
次に、図１２乃至図１６を参照して、Ｒ／Ｗユニット３０がパチンコ機１に取り付けられた監視用ＩＣタグ８６及び監視用ＩＣタグ１８６を監視する監視処理について説明する。図１２は、Ｒ／Ｗユニット３０のＥＥＰＲＯＭ３２の登録情報記憶エリアに記憶されている登録情報３２１の模式図である。図１３は、Ｒ／Ｗユニット３０のＲＡＭ３３の監視処理使用データ記憶エリアに記憶されている監視処理使用データ３３１の模式図である。図１４は、Ｒ／Ｗユニット３０のＥＥＰＲＯＭ３２の監視情報記憶エリアに記憶されている監視情報３２２の模式図である。図１５は、Ｒ／Ｗユニット３０で行われるメイン処理のフローチャートである。Ｒ／Ｗユニット３０は、このメイン処理の中で監視用ＩＣタグの監視処理を行っている。図１６は、Ｒ／Ｗユニット３０で行われるメイン処理の中で行われる監視処理のフローチャートである。
【００６９】
まず、図１２を参照して、Ｒ／Ｗユニット３０のＥＥＰＲＯＭ３２の登録情報記憶エリアに記憶されている登録情報３２１について説明する。登録情報３２１には、基板ボックス８０及び大入賞口１６を監視するための情報が登録されている。登録情報３２１は、監視される位置毎に１つの登録データが登録されており、図１２に示すようにデータ番号欄３２１ａ、位置特定符号欄３２１ｂ及びＩＤコード欄３２１ｃが設けられている。
【００７０】
データ番号欄３２１ａには、登録データのデータ番号が「１」から順に振られている。位置特定符号欄３２１ｂには、その登録データがパチンコ機１の被監視部材のどの位置を監視するためのものであるかを特定するための位置特定符号が英数字で登録されている。登録データは１つの被監視部材の被監視位置に付き１つしか登録されないので、異なる登録データに同じ位置特定符号が記憶されることはない。ＩＤコード欄３２１ｃには、被監視位置に貼り付けられている監視用ＩＣタグに記憶されているＩＤコードが登録されている。
【００７１】
図１２に示す例では、データ番号欄３２１ａが「１」である登録データの位置特定符号欄３２１ｂには「ＢＯＸ」、ＩＤコード欄３２１ｃには「１５５７００１Ｈ」が登録されている。尚、位置特定符号「ＢＯＸ」は基板ボックス８０を示している。また、データ番号欄３２１ａが「２」である登録データの位置特定符号欄３２１ｂには「ＤＡＩ」、ＩＤコード欄３２１ｃには「００１１Ｎ２２１」がが登録されている。尚、位置特定符号「ＤＡＩ」は大入賞口１６を示している。
【００７２】
次に、図１３を参照してＲ／Ｗユニット３０のＲＡＭ３３の監視処理使用データ記憶エリアに記憶されている監視処理使用データ３３１について説明する。監視処理使用データ３３１には、基板ボックス８０及び大入賞口１６を監視する際に使用されるカウンタが記憶されている。図１３に示すように、監視処理使用データ３３１には、データ番号欄３３１ａ及び消失フラグ欄３３１ｂが設けられている。尚、監視処理使用データ３３１のデータ番号欄３３１ａは、登録情報３２１のデータ番号欄３２１ａに記憶されているデータ番号と対応している。つまり、登録情報３２１のデータ番号欄３２１ａが「１」である被監視部材を監視する際には、監視処理使用データ３３１のデータ番号欄３３１ａが「１」である消失フラグが使用される。
【００７３】
データ番号欄３３１ａには、データ番号が「１」から順に振られている。消失フラグ欄３３１ｂには、被監視位置に貼り付けられた監視用ＩＣタグに監視用呼出波を送信した際に監視用反射波が返されてこなかった場合に、「応答エラー」となり、「１」がセットされて「ＯＮ」状態となる。応答エラーが発生していない状態では「ＯＦＦ」状態で「０」がセットされている。図１３に示す例では、データ番号欄３３１ａが「１」である登録データの消失フラグ欄３３１ｂには「０」がセットされている。データ番号欄３３１ａが「２」である登録データの消失フラグ欄３３１ｂには「０」がセットされている。
【００７４】
次に、図１４を参照してＲ／Ｗユニット３０のＥＥＰＲＯＭ３２の監視情報記憶エリアに記憶されている監視情報３２２について説明する。この監視情報３２２には、基板ボックス８０及び大入賞口１６を監視した結果、異常が発生していたり、異常が回復していたりした際にその監視データが追加記憶される。図１４に示すように、監視情報３２２には、データ番号欄３２２ａ、日付欄３２２ｂ、時刻欄３２２ｃ、位置特定符号欄３２２ｄ及び内容欄３２２ｅが設けられている。データ番号欄３２２ａには、監視データ毎に古い順に「１」から番号が振られており、日付欄３２２ｂには、監視データが作成された日付がセットされ、時刻欄３２２ｃには、監視データが作成された時刻がセットされる。異常が発生した場合には発生日付及び発生時刻であり、異常が回復した場合に回復日付及び回復時刻となる。位置特定符号欄３２２ｄには、異常が発生した監視用ＩＣタグが設置されている位置を示す位置特定符号がセットされ、内容欄３２２ｅには、監視データの内容がコードでセットされており、「１」は所定時間内に監視用反射波が返送されてこなかった消失エラーが発生したことを示し、「２」は消失エラーが回復したことを示している。
【００７５】
図１４に示す例では、１番目の監視データは、日付欄３２２ｂに「２００２．０７．１６」、時刻欄３２２ｃに「２０：３０：１５」、位置特定符号欄３２２ｄに「ＤＡＩ」、内容欄３２２ｅに「１」がセットされているので、２００２年７月１６日の２０時３０分１５秒に大入賞口１６の開閉扉１６ａに設置されている監視用ＩＣタグ１８６に消失エラーが発生したことを示している。２番目の監視データは、日付欄３２２ｂに「２００２．０７．１６」、時刻欄３２２ｃに「２０：３１：１９」、位置特定符号欄３２２ｄに「ＤＡＩ」、内容欄３２２ｅに「２」がセットされているので、２００２年７月１６日の２０時３１分１９秒に大入賞口１６の開閉扉１６ａに設置されている監視用ＩＣタグ１８６に発生していた消失エラーが回復したことを示している。
【００７６】
３番目の監視データは、日付欄３２２ｂに「２００２．０７．２２」、時刻欄３２２ｃに「３：１５：２４」、位置特定符号欄３２２ｄに「ＢＯＸ」、内容欄３２２ｅに「１」がセットされているので、２００２年７月２２日の３時１５分２４秒に基板ボックス８０に設置されている監視用ＩＣタグ８６に消失エラーが発生したことを示している。４番目の監視データは、日付欄３２２ｂに「２００２．０７．２２」、時刻欄３２２ｃに「３：１６：３６」、位置特定符号欄３２２ｄに「ＢＯＸ」、内容欄３２２ｅに「２」がセットされているので、２００２年７月２２日の３時１６分３６秒に基板ボックス８０に設置されている監視用ＩＣタグ８６に基板ボックス８０に設置されている監視用ＩＣタグ８６に発生していた消失エラーが回復したことを示している。５番目の監視データは、日付欄３２２ｂに「２００２．０７．２９」、時刻欄３２２ｃに「４：１８：４０」、位置特定符号欄３２２ｄに「ＢＯＸ」、内容欄３２２ｅに「１」がセットされているので、２００２年７月２９日の４時１８分４０秒に基板ボックス８０に設置されている監視用ＩＣタグ８６に消失エラーが発生したことを示している。６番目の監視データは、日付欄３２２ｂに「２００２．０７．２９」、時刻欄３２２ｃに「４：１８：４０」、位置特定符号欄３２２ｄに「ＢＯＸ」、内容欄３２２ｅに「２」がセットされているので、２００２年７月２９日の４時２０分０２秒に基板ボックス８０に設置されている監視用ＩＣタグ８６に発生していた消失エラーが回復したことを示している。
【００７７】
さらに、データ番号「７」〜「４１」の監視データは略されており、４２番目の監視データは、日付欄３２２ｂに「２００２．１１．１２」、時刻欄３２２ｃに「１８：２２：５５」、位置特定符号欄３２２ｄに「ＤＡＩ」、内容欄３２２ｅに「１」がセットされているので、２００２年１１月１２日の１８時２２分５５秒に大入賞口１６の開閉扉１６ａに設置されている監視用ＩＣタグ１８６に消失エラーが発生したことを示している。最終の監視データはデータ番号が「４３」であり、日付欄３２２ｂに「２００２．１１．１２」、時刻欄３２２ｃに「１８：２４：０５」、位置特定符号欄３２２ｄに「ＤＡＩ」、内容欄３２２ｅに「２」がセットされているので、２００２年１１月１２日の１８時２４分５秒に大入賞口１６の開閉扉１６ａに設置されている監視用ＩＣタグ１８６に発生していた消失エラーが回復したことを示している。
【００７８】
次に、図１５を参照してメイン処理について説明する。このメイン処理では、監視用アンテナから監視用呼出波を送信して、被監視部材に設置されている監視用ＩＣタグの監視をする監視処理を行う。尚、このメイン処理は、Ｒ／Ｗユニット３０に電源が投入され、起動処理が終了した後に開始され、Ｒ／Ｗユニット３０の電源がＯＮである間継続して実施される。Ｒ／Ｗユニット３０は、遊技機設置島２００の電源装置（図示外）から電源の供給を受けており、パチンコ機１の電源基板から電源の供給を受けていないため、夜間にパチンコ機１の電源をＯＦＦしたとしても、電源断とはならず処理は中断されないため、夜間にも監視を続けることができる。
【００７９】
まず、データ番号カウンタｎに初期値の「０」をセットする（Ｓ１）。このデータ番号カウンタｎは、図１２に示す登録情報３２１のデータ番号をカウントするためのカウンタであり、データ番号カウンタｎ番目の登録データに登録されている位置特定符号が示している被監視位置の監視が行われる。次いで、データ番号カウンタｎに「１」を加算し（Ｓ２）、データ番号カウンタｎの値が登録情報３２１のデータ数である「２」よりも大きいか否かを確認する（Ｓ３）。データ番号カウンタｎの値が「２」よりも大きくなければ（Ｓ３：ＮＯ）、ｎ番目の登録情報３２１の登録データの位置特定符号欄３２１ｂに記憶されている位置特定符号が「ＤＡＩ」であるか否かを確認する（Ｓ４）。位置特定符合「ＤＡＩ」は、大入賞口１６の開閉扉１６ａを示しており、この開閉扉１６ａはパチンコ機１が大当たり中であれば開放されるため、パチンコ機１が大当たり中には開閉扉１６ａの開放を監視する必要はない。そこで、位置特定符号が「ＤＡＩ」である場合には（Ｓ４：ＹＥＳ）、パチンコ機１が大当たり中であるか否かを確認し（Ｓ５）、大当たり中である場合には（Ｓ５：ＹＥＳ）、何もせずにＳ２へ戻る。大当たり中であるか否かの判断は、大当たりフラグにより行う。この大当たりフラグは主制御基板４１からの信号の受信により、ＯＦＦ／ＯＮが行われる。大当たり中でない場合には（Ｓ５：ＮＯ）、位置特定符号が「ＤＡＩ」である被監視位置、すなわち大入賞口１６の開閉扉１６ａの監視処理行う（Ｓ６）。また、ｎ番目の位置特定符号が「ＤＡＩ」でない場合には（Ｓ４：ＮＯ）、必ず監視が行われるので、Ｓ６へ進み、ｎ番目の登録情報３２１の登録データに記憶された位置への監視処理を行う。尚、この監視処理の詳細については、図１６で後述する。監視処理終了後には、Ｓ２へ戻る。
【００８０】
続いて、データ番号カウンタｎに「１」を加算し（Ｓ２）、データ番号カウンタｎの値が「２」よりも大きれば（Ｓ３：ＹＥＳ）、Ｓ１へ戻る。以上の処理が繰り返し行われ、監視処理は継続して実施される。
【００８１】
次いで、図１６を参照してメイン処理の中で行われる監視処理（図１５：Ｓ６）についてフローチャートを用いて説明する。この監視処理は、データ番号がメイン処理中で更新されるデータ番号カウンタｎの値である登録情報３２１の登録データの位置特定符号欄３２１ｂに記憶されている位置特定符号が示す被監視位置を監視するための監視用アンテナから、監視用呼出波を送信することにより基板ボックス８０及び大入賞口１６の開放を監視する。
【００８２】
まず、ｎ番目の位置特定符号欄３２１ｂに記憶されている位置特定符号が示す位置を監視するために設けられている監視用アンテナから監視用呼出波を送信する（Ｓ２１）。この監視用アンテナは、位置特定符号が「ＤＡＩ」である場合には監視用アンテナ１６８であり、位置特定符号が「ＢＯＸ」である場合には監視用アンテナ６８である。次いで、監視用ＩＣタグから監視用反射波の返送が所定時間内にあるか否かを確認する（Ｓ２２）。本実施の形態では、この所定時間は例えば１０ミリ秒とする。
【００８３】
所定時間内に監視用反射波の返送がない場合には（Ｓ２２：ＮＯ）、監視用ＩＣタグが監視用アンテナと通信できない位置にある、すなわち監視用ＩＣタグの設置部材が不正に開放されていると考えられる。そこで、まず監視処理使用データ３３１のｎ番目の消失フラグ欄３３１ｂに「１」がセットされて「ＯＮ」となっているか否かを確認する（Ｓ２３）。ｎ番目の消失フラグ欄３３１ｂに「１」がセットされて「ＯＮ」となっている場合には（Ｓ２３：ＹＥＳ）、すでにこの不正開放が検知され、監視データが監視情報に記憶されているので、再度監視データを作成しないために何もせずに処理を終了する。ｎ番目の消失フラグ欄３３１ｂに「１」がセットされて「ＯＮ」となっていない場合には（Ｓ２３：ＮＯ）、今回の監視にて初めてこの不正開放が検知されたので、監視処理使用データ３３１のｎ番目の消失フラグ欄３３１ｂに「ＯＮ」をセットする（Ｓ２４）。そして、監視情報３２２へ消失エラー発生の監視データを追加記憶し（Ｓ２５）、管理端末装置１００へ新しい監視データを送信して（Ｓ２６）、処理を終了する。
【００８４】
所定時間内に監視用反射波の返送があった場合には（Ｓ２２：ＹＥＳ）、被監視位置に備えられた監視用ＩＣタグは正常である。そこで、監視処理使用データ３３１のｎ番目の消失フラグ欄３３１ｂに「１」がセットされて「ＯＮ」となっているか否かを確認する（Ｓ２７）。「ＯＮ」である場合には（Ｓ２７：ＹＥＳ）、消失エラーから回復したのでｎ番目の消失フラグ欄３３１ｂに「０」をセットして「ＯＦＦ」とし（Ｓ２８）、監視情報３２２へ消失エラー回復の監視データを追加記憶し（Ｓ２９）、監視データを管理端末装置１００へ送信して（Ｓ３０）、処理を終了する。「ＯＮ」でない場合には（Ｓ２７：ＮＯ）、何もせずに、処理を終了する。
【００８５】
５．監視端末装置で使用されるデータ及び画面イメージの説明
次に、図１７乃至図１９を参照して、管理端末装置１００で使用されるデータ及び画面イメージについて説明する。図１７は、管理端末装置１００のＥＥＰＲＯＭ１１４に記憶されている認証用登録情報１１４１の模式図である。図１８は、管理端末装置１００のＥＥＰＲＯＭ１１４の監視履歴情報記憶エリアに記憶されている監視履歴情報１１４２の模式図である。図１９は、履歴モード画面１０１ｂのイメージ図である。
【００８６】
まず、図１７を参照して、管理端末装置１００のＥＥＰＲＯＭ１１４の認証用登録情報記憶エリアに記憶されている認証用登録情報１１４１について説明する。認証用登録情報１１４１には、認証用ＩＣタグ１２６を識別するための識別情報であるＩＤコードが登録されている。ここに登録されているＩＤコードを記憶している認証用ＩＣタグ１２６を埋め込んだ鍵１２１を使用することにより、管理端末装置１００を認証状態とすることができる。図２１に示すように、認証用登録情報１１４１には、ＩＤコード１欄、ＩＤコード２欄、ＩＤコード３欄、ＩＤコード４欄、ＩＤコード５欄、ＩＤコード６欄、ＩＤコード７欄、ＩＤコード８欄の８つの欄が設けられている。ＩＤコード１欄〜ＩＤコード８欄には、鍵１２１に埋め込まれている認証用ＩＣタグ１２６に記憶されているＩＤコードが記憶されている。遊技場内においては、例えば店員の数分だけ鍵１２１が複数存在することも考えられるので、ＩＤコード１欄〜ＩＤコード８欄の８つの欄が設けられている。すなわち、本実施の形態では、８つの鍵１２１を登録することができる。
【００８７】
図１７に示す例では、ＩＤコード１欄には「１６１７４０９８」、ＩＤコード２欄には「ＦＴ１７６４９５」、ＩＤコード３欄には「０００８３０８２」が登録されており、ＩＤコード４欄、ＩＤコード５欄、ＩＤコード６欄、ＩＤコード７欄及びＩＤコード８欄には登録されていない。
【００８８】
次に、図１８を参照して、管理端末装置１００のＥＥＰＲＯＭ１１４の監視履歴情報記憶エリアに記憶されている監視履歴情報１１４２について説明する。この監視履歴情報１１４２は、管理端末装置１００に接続したＲ／Ｗユニット３０から監視データを受信した際に、パチンコ機１の台番号を付加して追加記憶される。図１８に示すように、データ番号欄１１４２ａ、日付欄１１４２ｂ、時刻欄１１４２ｃ、台番号欄１１４２ｄ、位置特定符号欄１１４２ｅ、内容欄１１４２ｆが設けられている。
【００８９】
図１８に示す例では、１番目の監視データは、日付欄１１４２ｂに「２００２．０７．１２」、時刻欄１１４２ｃに「２０：２０：１６」、台番号欄１１４２ｄに「１０６」、位置特定符号欄１１４２ｅに「ＤＡＩ」、内容欄１１４２ｆに「１」がセットされているので、２００２年７月１２日の２０時２０分１６秒に１０６番のパチンコ機１において、大入賞口１６の開閉扉１６ａに設置されている監視用ＩＣタグ１８６に消失エラーが発生したことを示している。２番目の監視データは、日付欄１１４２ｂに「２００２．０７．１２」、時刻欄１１４２ｃに「２０：２１：２２」、台番号欄１１４２ｄに「１０６」、位置特定符号欄１１４２ｅに「ＤＡＩ」、内容欄１１４２ｆに「２」がセットされているので、２００２年７月１２日の２０時２１分２２秒に１０６番のパチンコ機１において、大入賞口１６の開閉扉１６ａに設置されている監視用ＩＣタグ１８６に発生していた消失エラーが回復したことを示している。３〜２１１番目の監視データは省略されている。
【００９０】
さらに、２１２番目の監視データは、日付欄１１４２ｂに「２００２．１０．２４」、時刻欄１１４２ｃに「２：１５：２４」、台番号欄１１４２ｄに「１０５」、位置特定符号欄１１４２ｅに「ＢＯＸ」、内容欄１１４２ｆに「１」がセットされているので、２００２年１０月２４日の２時１５分２４秒に番のパチンコ機１において、基板ボックス８０に設置されている監視用ＩＣタグ８６に消失エラーが発生したことを示している。２１３番目の監視データは、日付欄１１４２ｂに「２００２．１０．２４」、時刻欄１１４２ｃに「２：１６：３６」、台番号欄１１４２ｄに「１０５」、位置特定符号欄１１４２ｅに「ＢＯＸ」、内容欄１１４２ｆに「２」がセットされているので、２００２年１０月２４日の２時１６分３６秒に１０５番のパチンコ機１において、基板ボックス８０に設置されている監視用ＩＣタグ８６に発生していた消失エラーが回復したことを示している。
【００９１】
２１４番目の監視データは、日付欄１１４２ｂに「２００２．１０．２４」、時刻欄１１４２ｃに「２：２０：２２」、台番号欄１１４２ｄに「１０６」、位置特定符号欄１１４２ｅに「ＢＯＸ」、内容欄１１４２ｆに「１」がセットされているので、２００２年１０月２４日の２時２０分２２秒に１０６番のパチンコ機１において、基板ボックス８０に設置されている監視用ＩＣタグ８６に消失エラーが発生したことを示している。２１５番目の監視データは、日付欄１１４２ｂに「２００２．１０．２４」、時刻欄１１４２ｃに「２：２１：５６」、台番号欄１１４２ｄに「１０６」、位置特定符号欄１１４２ｅに「ＢＯＸ」、内容欄１１４２ｆに「２」がセットされているので、２００２年１０月２４日の２時２１分５６秒に１０６番のパチンコ機１において、基板ボックス８０に設置されている監視用ＩＣタグ８６に発生していた消失エラーが回復したことを示している。
【００９２】
２１６番目の監視データは、日付欄１１４２ｂに「２００２．１１．１２」、時刻欄１１４２ｃに「１８：２２：５５」、台番号欄１１４２ｄに「１０４」、位置特定符号欄１１４２ｅに「ＤＡＩ」、内容欄１１４２ｆに「１」がセットされているので、２００２年１１月１２日の１８時２２分５５秒に１０４番のパチンコ機１において、大入賞口１６の開閉扉１６ａに設置されている監視用ＩＣタグ１８６に消失エラーが発生したことを示している。２１７番目の監視データは、日付欄１１４２ｂに「２００２．１１．１２」、時刻欄１１４２ｃに「１８：２４：０５」、台番号欄１１４２ｄに「１０４」、位置特定符号欄１１４２ｅに「ＤＡＩ」、内容欄１１４２ｆに「２」がセットされているので、２００２年１１月１２日の１８時２４分５秒に１０４番のパチンコ機１において、大入賞口１６の開閉扉１６ａに設置されている監視用ＩＣタグ１８６に発生していた消失エラーが回復したことを示している。
【００９３】
２１８番目の監視データは、日付欄１１４２ｂに「２００２．１１．１８」、時刻欄１１４２ｃに「３：２５：１０」、台番号欄１１４２ｄに「１０５」、位置特定符号欄１１４２ｅに「ＢＯＸ」、内容欄１１４２ｆに「１」がセットされているので、２００２年１１月１８日の３時２５分１０秒に１０５番のパチンコ機１において、基板ボックス８０に設置されている監視用ＩＣタグ８６に消失エラーが発生したことを示している。２１９番目の監視データは、日付欄１１４２ｂに「２００２．１１．１８」、時刻欄１１４２ｃに「３：２８：１９」、台番号欄１１４２ｄに「１０５」、位置特定符号欄１１４２ｅに「ＢＯＸ」、内容欄１１４２ｆに「２」がセットされているので、２００２年１１月１８日の３時２８分１９秒に１０５番のパチンコ機１において、基板ボックス８０に設置されている監視用ＩＣタグ８６に発生していた消失エラーが回復したことを示している。
【００９４】
２２０番目の監視データは、日付欄１１４２ｂに「２００２．１１．２６」、時刻欄１１４２ｃに「１０：３８：１６」、台番号欄１１４２ｄに「１０３」、位置特定符号欄１１４２ｅに「ＤＡＩ」、内容欄１１４２ｆに「１」がセットされているので、２００２年１１月２６日の１０時３８分１６秒に１０３番のパチンコ機１において、大入賞口１６の開閉扉１６ａに設置されている監視用ＩＣタグ１８６に消失エラーが発生したことを示している。２２１番目の監視データは、日付欄１１４２ｂに「２００２．１１．２６」、時刻欄１１４２ｃに「１０：３８：４９」、台番号欄１１４２ｄに「１０３」、位置特定符号欄１１４２ｅに「ＤＡＩ」、内容欄１１４２ｆに「２」がセットされているので、２００２年１１月２６日の１０時３８分４９秒に１０３番のパチンコ機１において、大入賞口１６の開閉扉１６ａに設置されている監視用ＩＣタグ１８６に発生していた消失エラーが回復したことを示している。
【００９５】
次に、図１９を参照して、管理端末装置１００の表示画面１０１に表示された履歴モード画面１０１ｂについて説明する。この履歴モード画面１０１ｂは、履歴ボタン１０４を押下することにより表示される。図１９に示すように、画面上部には「履歴モード画面」と表示され、最新の１０の監視データが表示されている。監視データは、「データ番号」欄、「日付」欄、「時刻」欄、「台番号」欄、「場所」欄及び「発生／回復」欄が設けられており、「データ番号」欄には監視履歴情報のデータ番号が表示され、「日付」欄及び「時刻」欄には監視データが作成された日時が表示され、「台番号」欄には監視データが作成されたパチンコ機１を示すの台番号が表示され、「場所」欄にはパチンコ機１のどこに関する監視データであるかが表示され、「発生／回復」欄には監視データがエラー発生のデータであるか、エラー回復のデータであるかが表示されている。
【００９６】
図１９に示す例では、データ番号「２１２」〜「２２１」の１０の監視データが表示されており、２１２番目の監視データは、２００２年１０月２４日の２時１５分２４秒に番のパチンコ機１において、基板ボックス８０に設置されている監視用ＩＣタグ８６に消失エラーが発生したことを示している。２１３番目の監視データは、２００２年１０月２４日の２時１６分３６秒に１０５番のパチンコ機１において、基板ボックス８０に設置されている監視用ＩＣタグ８６に発生していた消失エラーが回復したことを示している。２１４番目の監視データは、２００２年１０月２４日の２時２０分２２秒に１０６番のパチンコ機１において、基板ボックス８０に設置されている監視用ＩＣタグ８６に消失エラーが発生したことを示している。２１５番目の監視データは、２００２年１０月２４日の２時２１分５６秒に１０６番のパチンコ機１において、基板ボックス８０に設置されている監視用ＩＣタグ８６に発生していた消失エラーが回復したことを示している。
【００９７】
２１６番目の監視データは、２００２年１１月１２日の１８時２２分５５秒に１０４番のパチンコ機１において、大入賞口１６の開閉扉１６ａに設置されている監視用ＩＣタグ１８６に消失エラーが発生したことを示している。２１７番目の監視データは、２００２年１１月１２日の１８時２４分５秒に１０４番のパチンコ機１において、大入賞口１６の開閉扉１６ａに設置されている監視用ＩＣタグ１８６に発生していた消失エラーが回復したことを示している。２１８番目の監視データは、２００２年１１月１８日の３時２５分１０秒に１０５番のパチンコ機１において、基板ボックス８０に設置されている監視用ＩＣタグ８６に消失エラーが発生したことを示している。２１９番目の監視データは、２００２年１１月１８日の３時２８分１９秒に１０５番のパチンコ機１において、基板ボックス８０に設置されている監視用ＩＣタグ８６に発生していた消失エラーが回復したことを示している。
【００９８】
２２０番目の監視データは、２００２年１１月２６日の１０時３８分１６秒に１０３番のパチンコ機１において、大入賞口１６の開閉扉１６ａに設置されている監視用ＩＣタグ１８６に消失エラーが発生したことを示している。２２１番目の監視データは、２００２年１１月２６日の１０時３８分４９秒に１０３番のパチンコ機１において、大入賞口１６の開閉扉１６ａに設置されている監視用ＩＣタグ１８６に発生していた消失エラーが回復したことを示している。
【００９９】
また、監視データはデータ番号順（時系列）で一番新しいデータである１０のデータが表示されているが、矢印キー１０８を操作することにより、表示する監視データの行送りを行うことができる。例えば、上矢印キーを押下すると、データ番号の一番大きい監視データが消え、１つ前の監視データが表示される。図２３に示す例では、データ番号「２２１」の監視データが消え、データ番号「２１１」〜「２２０」の１０つの監視データが表示される。また、下矢印キーを押下すると、データ番号の１番小さい監視データが消え、１つ後の監視データが表示される。また、クリアボタン１０５が押下されると、監視履歴情報１１４２を削除することができる。
【０１００】
６．管理端末装置の操作に関する説明＜動作例１＞
管理端末装置１００では、管理端末装置１００を認証状態とするか否かを判定している「認証処理」及び、監視ボタン１０３、履歴ボタン１０４、入力キー１０７又は矢印キー１０８等の入力手段からの入力を受け付け、処理を行う「入力受付処理」が別々のプログラムで実施されている。この「認証処理」及び「入力受付処理」について、図２０及び図２１のフローチャートを用いて説明する。
【０１０１】
管理端末装置１００は、認証用アンテナ１２８から呼出波を送信して、鍵穴１３０に正規の鍵１２１が差し込まれ、認証用ＩＣタグ１２６から予め管理端末装置１００に登録されているＩＤコードを含む反射波が返送されてきた場合に、管理端末装置１００を認証状態としているが、＜動作例１＞では、認証状態から否認証状態へと移行させる手段として、解除ボタン１１６を使用する。管理端末装置１００は、認証用ＩＣタグ１２６から予め管理端末装置１００に登録されているＩＤコードを含む反射波を受信すると、認証状態となる。そして、鍵１２１が鍵穴１３０から抜かれ、認証用ＩＣタグ１２６から予め管理端末装置１００に登録されているＩＤコードを含む反射波を受信しなくなっても、認証状態は継続する。そして、係員により、解除ボタン１１６が押下された場合に、認証状態から否認証状態へ戻る。図２０は、＜動作例１＞の認証処理のフローチャートである。図２１は、＜動作例１＞の入力受付処理のフローチャートである。
【０１０２】
まず、図２０のフローチャートを参照して、＜動作例１＞の認証処理の説明をする。この認証処理は、管理端末装置１００に電源が投入され、ＲＡＭ等のチェックを行う初期処理が終了した時点で開始され、電源が切られるまで継続して実施されている。
【０１０３】
まず、認証フラグに「ＯＮ」を示す「１」がセットされ、認証状態となっているか否かを確認する（Ｓ８１）。この認証フラグは、管理端末装置１００が認証状態である場合には「１」がセットされて「ＯＮ」となっており、否認証状態である場合には「０」がセットされて「ＯＦＦ」となっている。認証フラグが「ＯＮ」である場合には（Ｓ８１：ＹＥＳ）、すでに認証状態となっており、＜動作例１＞では認証状態を継続させるので、なにもせずにそのまま処理を終了する。認証フラグが「ＯＮ」でない場合には（Ｓ８１：ＮＯ）、否認証状態であるので、認証状態とするか否かの判定を行うために、認証用アンテナ１２８から認証用呼出波を送信する（Ｓ８２）。そして、所定時間内に認証用ＩＣタグ１２６から認証用反射波を受信したか否かを確認する（Ｓ８３）。ここで、所定時間は例えば１０ミリ秒とする。認証用反射波を受信していない場合には（Ｓ８３：ＮＯ）、認証用反射波を送信する認証用ＩＣタグ１２６が存在していない、すなわち、鍵穴１３０に正規の鍵１２１が挿入されていないということなので、管理端末装置１００を認証状態にすることなく、処理を終了する。
【０１０４】
認証用反射波を受信した場合には（Ｓ８３：ＹＥＳ）、受信した認証用反射波に含まれているＩＤコードと一致するＩＤコードが、認証用登録情報１１４１に記憶されているか否かを確認する（Ｓ８４）。一致するＩＤコードが認証用登録情報１１４１に記憶されていない場合には（Ｓ８４：ＮＯ）、認証用反射波を送信している認証用ＩＣタグ１２６が正規のものでない、すなわち、鍵穴１３０に正規の鍵１２１が挿入されていないということなので、管理端末装置１００を認証状態にすることなく、処理を終了する。
【０１０５】
一致するＩＤコードが認証用登録情報１１４１に記憶されている場合には（Ｓ８４：ＹＥＳ）、予め管理端末装置１００に登録されているＩＤコードを持つ認証用ＩＣタグ１２６が埋め込まれた正規の鍵１２１が鍵穴１３０に挿入されているということなので、認証フラグに「１」をセットして「ＯＮ」とし（Ｓ８５）、管理端末装置１００を認証状態とする。さらに、係員に管理端末装置１００が認証状態となったことを知らせるために、認証ランプ１０６を点灯させて（Ｓ８６）、処理を終了する。
【０１０６】
次に、図２１のフローチャートを参照して、＜動作例１＞の入力受付処理の説明をする。この入力受付処理は、管理端末装置１００に電源が投入され、ＲＡＭ等のチェックを行う初期処理が終了し、認証処理が開始された時点で開始され、電源が切られるまで継続して実施されている。
【０１０７】
まず、Ｒ／Ｗユニット３０から監視データを受信したか否かを確認する（Ｓ４６）。監視データを受信した場合には（Ｓ４６：ＹＥＳ）、受信した監視データをＥＥＰＲＯＭ１１４の監視履歴情報記憶エリアに記憶されている監視履歴情報１１４２へ記憶する（Ｓ４７）。次いで、表示画面１０１が監視モード画面であるか否かを確認する（Ｓ４８）。ここで、監視モード画面であるか否かは、モードフラグの値が「１」であるか否かにより判断する。監視モードである場合には、「１」がセットされており、履歴モードである場合には、「２」がセットされている。モードフラグが「１」であり、監視モード画面が表示されている場合には（Ｓ４８：ＹＥＳ）、受信した監視データの報知画面を作成して、表示画面１０１の監視モード画面１０１ａへ表示する（Ｓ５０）。そして、Ｓ６８へ進む。監視モード画面でない場合には（Ｓ４８：ＮＯ）、モードフラグに「１」をセットし、監視モード画面に切り替え、表示し（Ｓ４９）、受信した監視データの報知画面を作成して、表示画面１０１の監視モード画面１０１ａへ表示する（Ｓ５０）。そして、Ｓ６８へ進む。
【０１０８】
監視データを受信していない場合には（Ｓ４６：ＮＯ）、監視ボタン１０３が押下され、監視モード画面への切り替えを指示する信号を受信したか否かを確認する（Ｓ５１）。監視ボタン１０３が押下された場合には（Ｓ５１：ＹＥＳ）、認証フラグに「ＯＮ」を示す「１」がセットされ、認証状態となっているか否かを確認する（Ｓ５２）。認証状態でない場合には（Ｓ５２：ＮＯ）、監視ボタン１０３の入力を受け付けないので、なにもせずにＳ６８へ進む。認証状態である場合には（Ｓ５２：ＹＥＳ）、モードフラグに「１」をセットして、表示画面１０１に監視モード画面１０１ａを表示し（Ｓ５３）、Ｓ６８へ進む。監視ボタン１０３が押下されていない場合には（Ｓ５１：ＮＯ）、履歴ボタン１０４が押下され、履歴モード画面への切り替えを指示する信号を受信したか否かを確認する（Ｓ５４）。履歴ボタン１０４が押下された場合には（Ｓ５４：ＹＥＳ）、認証フラグに「ＯＮ」を示す「１」がセットされ、認証状態となっているか否かを確認する（Ｓ５５）。認証状態でない場合には（Ｓ５５：ＮＯ）、監視ボタン１０３の入力を受け付けないので、なにもせずにＳ６８へ進む。認証状態である場合には（Ｓ５５：ＹＥＳ）、モードフラグに「２」をセットして、表示画面１０１に履歴モード画面１０１ｂを表示し（Ｓ５６）、Ｓ６８へ進む。
【０１０９】
さらに、履歴ボタン１０４が押下されていない場合には（Ｓ５４：ＮＯ）、入力キー１０７又は矢印キー１０８が押下され、矢印キーの入力を示す信号を受信したか否かを確認する（Ｓ５７）。入力キー１０７又は矢印キー１０８が押下された場合には（Ｓ５７：ＹＥＳ）、認証フラグに「ＯＮ」を示す「１」がセットされ、認証状態となっているか否かを確認する（Ｓ５８）。認証状態でない場合には（Ｓ５８：ＮＯ）、入力キー１０７又は矢印キー１０８の入力を受け付けないので、なにもせずにＳ６８へ進む。認証状態である場合には（Ｓ５８：ＹＥＳ）、入力信号にしたがって画面処理を行い（Ｓ５９）、Ｓ６８へ進む。この画面処理は、監視モード画面１０１ａでは、報知画面の切り替えであり、履歴モード画面１０１ｂでは、監視データが表示されている行の送りである。
【０１１０】
さらに、入力キー１０７又は矢印キー１０８が押下されていない場合には（Ｓ５７：ＮＯ）、停止ボタン１０２が押下され、警告ランプ１０９の消灯を指示する信号を受信したか否かを確認する（Ｓ６０）。停止ボタン１０２が押下された場合には（Ｓ６０：ＹＥＳ）、認証フラグに「ＯＮ」を示す「１」がセットされ、認証状態となっているか否かを確認する（Ｓ６１）。認証状態でない場合には（Ｓ６１：ＮＯ）、停止ボタン１０２の入力を受け付けないので、なにもせずにＳ６８へ進む。認証状態である場合には（Ｓ６１：ＹＥＳ）、警告ランプ１０９を消灯させ（Ｓ６２）、Ｓ６８へ進む。
【０１１１】
さらに、停止ボタン１０２が押下されていない場合には（Ｓ６０：ＮＯ）、クリアボタン１０５が押下され、クリアボタン１０５の入力を示す信号を受信したか否かを確認する（Ｓ６３）。クリアボタン１０５が押下された場合には（Ｓ６３：ＹＥＳ）、認証フラグに「ＯＮ」を示す「１」がセットされ、認証状態となっているか否かを確認する（Ｓ６４）。認証状態でない場合には（Ｓ６４：ＮＯ）、クリアボタン１０５の入力を受け付けないので、なにもせずにＳ６８へ進む。認証状態である場合には（Ｓ６４：ＹＥＳ）、監視モード画面が表示されているか否かを確認する（Ｓ６５）。これは、モードフラグの値が「１」であるか否かにより判断する。モードフラグの値が「１」でなく、監視モード画面でない場合には（Ｓ６５：ＮＯ）、表示画面１０１には履歴モード画面が表示されているので、監視履歴情報１１４２の削除処理を行い（Ｓ６６）、Ｓ６８へ進む。
【０１１２】
尚、Ｓ６６の削除処理では、まず、どの監視データを削除するのか指定するための削除画面を表示する。削除画面には、２つのデータ番号欄、確認ボタン及びキャンセルボタンが表示されているので、係員は、どの監視データからどの監視データまでを削除するのかを、データ番号を入力することにより指定して、確認ボタンを選択する。尚、キャンセルボタンが選択されると監視履歴情報１１４２の削除は行われずに、Ｓ６８へ進む。さらに削除処理では、係員が入力した内容、確認ボタン及びキャンセルボタンを表示した確認画面を表示し、確認ボタンが選択されたら、指定されてたデータ番号の監視データを監視履歴情報１１４２から削除してＳ６８へ進む。尚、ここでもキャンセルボタンが選択されると監視履歴情報１１４２の削除は行われずに、Ｓ６８へ進む。
【０１１３】
また、モードフラグの値が「１」である場合には、監視モード画面であるので（Ｓ６５：ＹＥＳ）、現在表示されている報知画面を消去する消去処理を行う（Ｓ６７）。ここで、複数の報知画面が表示されている場合には、１番手前に表示されている報知画面を消去する。また、報知画面がなくなった場合には、「現在、エラーは発生していません。」等の報知すべきエラーがパチンコ機１に発生していないことを示す旨のメッセージを表示する。さらに、消去する際には、「消去してもよろしいですか？」等の消去を行うことの確認を促すメッセージ、確認ボタン及びキャンセルボタンを表示した確認画面を表示し、確認ボタンが選択された場合のみ消去する。キャンセルボタンが選択された場合には、消去しない。そして、Ｓ６８へ進む。また、クリアボタン１０５が押下されていない場合には（Ｓ６３：ＮＯ）、Ｓ６８へ進む。
【０１１４】
Ｓ６８では、解除ボタン１１６が押下され、認証状態から否認証状態への移行を指示する信号を受信したか否かを確認する（Ｓ６８）。解除ボタン１１６が押下された場合には（Ｓ６８：ＹＥＳ）、管理端末装置１００を否認証状態へと移行させるが、現在認証状態でなけば否認証状態であり、なんら処理を行う必要はなく、また、認証状態でない場合には入力を受け付けない。そこで、認証フラグに「ＯＮ」を示す「１」がセットされ、認証状態となっているか否かを確認する（Ｓ６９）。認証状態でない場合には（Ｓ６９：ＮＯ）、なにもせずにＳ４６へ戻る。認証状態である場合には（Ｓ６９：ＹＥＳ）、認証フラグに「０」をセットして「ＯＦＦ」として、否認証状態とし（Ｓ７０）、認証状態であることを示している認証ランプ１０６を消灯させ（Ｓ７１）、Ｓ４６へ戻る。また、解除ボタン１１６が押下されていない場合には（Ｓ６８：ＮＯ）、Ｓ４６へ戻る。上記の作業を繰り返すことにより、入力受付処理は継続して実行される。
【０１１５】
７．管理端末装置の操作に関する説明＜動作例２＞
次いで、図２２及び図２３のフローチャートを用いて、＜動作例２＞の「認証処理」及び「入力受付処理」について説明する。＜動作例２＞では、鍵１２１が鍵穴１３０から抜かれ、認証用ＩＣタグ１２６から予め管理端末装置１００に登録されているＩＤコードを含む反射波を受信しなくなった場合に、認証状態から否認証状態へ戻る。図２２は、＜動作例２＞の認証処理のフローチャートである。図２３は、＜動作例２＞の入力受付処理のフローチャートである。
【０１１６】
まず、図２２のフローチャートを参照して、＜動作例２＞の認証処理のについて説明する。この認証処理は、管理端末装置１００に電源が投入され、ＲＡＭ等のチェックを行う初期処理が終了した時点で開始され、電源が切られるまで継続して実施されている。
【０１１７】
まず、認証用アンテナ１２８から認証用呼出波を送信する（Ｓ１３１）。そして、所定時間内に認証用ＩＣタグ１２６から認証用反射波を受信したか否かを確認する（Ｓ１３２）。ここで、所定時間は例えば１０ミリ秒とする。認証用反射波を受信していない場合には（Ｓ１３２：ＮＯ）、認証用反射波を送信する認証用ＩＣタグ１２６が存在していない、すなわち、鍵穴１３０に正規の鍵１２１が挿入されていないということなので、認証フラグに「０」をセットして「ＯＦＦ」とし（Ｓ１３６）、管理端末装置１００を否認証状態へ戻し、認証ランプ１０６を消灯させて（Ｓ１３７）、処理を終了する。
【０１１８】
認証用反射波を受信した場合には（Ｓ１３２：ＹＥＳ）、受信した認証用反射波に含まれているＩＤコードと一致するＩＤコードが、認証用登録情報１１４１に記憶されているか否かを確認する（Ｓ１３３）。一致するＩＤコードが認証用登録情報１１４１に記憶されていない場合には（Ｓ１３３：ＮＯ）、認証用反射波を送信している認証用ＩＣタグ１２６が正規のものでない、すなわち、鍵穴１３０に正規の鍵１２１が挿入されていないということなので、認証フラグに「０」をセットして「ＯＦＦ」とし（Ｓ１３６）、管理端末装置１００を否認証状態へ戻し、認証ランプ１０６を消灯させて（Ｓ１３７）、処理を終了する。
【０１１９】
一致するＩＤコードが認証用登録情報１１４１に記憶されている場合には（Ｓ１３３：ＹＥＳ）、予め管理端末装置１００に登録されているＩＤコードを持つ認証用ＩＣタグ１２６が埋め込まれた正規の鍵１２１が鍵穴１３０に挿入されているということなので、認証フラグに「１」をセットして「ＯＮ」とし（Ｓ１３４）、管理端末装置１００を認証状態とする。さらに、係員に管理端末装置１００が認証状態となったことを知らせるために、認証ランプ１０６を点灯させて（Ｓ１３５）、処理を終了する。
【０１２０】
次に、図２３のフローチャートを参照して、＜動作例２＞の入力受付処理について説明する。この入力受付処理は、管理端末装置１００に電源が投入され、ＲＡＭ等のチェックを行う初期処理が終了し、認証処理が開始された時点で開始され、電源が切られるまで継続して実施されている。
【０１２１】
まず、Ｒ／Ｗユニット３０から監視データを受信したか否かを確認する（Ｓ９６）。監視データを受信した場合には（Ｓ９６：ＹＥＳ）、受信した監視データをＥＥＰＲＯＭ１１４の監視履歴情報記憶エリアに記憶されている監視履歴情報１１４２へ記憶する（Ｓ９７）。次いで、表示画面１０１が監視モード画面であるか否かを確認する（Ｓ９８）。ここで、監視モード画面であるか否かは、モードフラグの値が「１」であるか否かにより判断する。監視モードである場合には、「１」がセットされており、履歴モードである場合には、「２」がセットされている。モードフラグが「１」であり、監視モード画面が表示されている場合には（Ｓ９８：ＹＥＳ）、受信した監視データの報知画面を作成して、表示画面１０１の監視モード画面１０１ａへ表示する（Ｓ１００）。そして、Ｓ９６へ戻る。監視モード画面でない場合には（Ｓ９８：ＮＯ）、モードフラグに「１」をセットし、監視モード画面に切り替え、表示し（Ｓ９９）、受信した監視データの報知画面を作成して、表示画面１０１の監視モード画面１０１ａへ表示する（Ｓ１００）。そして、Ｓ９６へ戻る。
【０１２２】
監視データを受信していない場合には（Ｓ９６：ＮＯ）、監視ボタン１０３が押下され、監視モード画面への切り替えを指示する信号を受信したか否かを確認する（Ｓ１０１）。監視ボタン１０３が押下された場合には（Ｓ１０１：ＹＥＳ）、認証フラグに「ＯＮ」を示す「１」がセットされ、認証状態となっているか否かを確認する（Ｓ１０２）。認証状態でない場合には（Ｓ１０２：ＮＯ）、監視ボタン１０３の入力を受け付けないので、なにもせずにＳ９６へ戻る。認証状態である場合には（Ｓ１０２：ＹＥＳ）、モードフラグに「１」をセットして、表示画面１０１に監視モード画面１０１ａを表示し（Ｓ１０３）、Ｓ９６へ戻る。監視ボタン１０３が押下されていない場合には（Ｓ１０１：ＮＯ）、履歴ボタン１０４が押下され、履歴モード画面への切り替えを指示する信号を受信したか否かを確認する（Ｓ１０４）。履歴ボタン１０４が押下された場合には（Ｓ１０４：ＹＥＳ）、認証フラグに「ＯＮ」を示す「１」がセットされ、認証状態となっているか否かを確認する（Ｓ１０５）。認証状態でない場合には（Ｓ１０５：ＮＯ）、監視ボタン１０３の入力を受け付けないので、なにもせずにＳ９６へ戻る。認証状態である場合には（Ｓ１０５：ＹＥＳ）、モードフラグに「２」をセットして、表示画面１０１に履歴モード画面１０１ｂを表示し（Ｓ１０６）、Ｓ９６へ戻る。
【０１２３】
さらに、履歴ボタン１０４が押下されていない場合には（Ｓ１０４：ＮＯ）、入力キー１０７又は矢印キー１０８が押下され、矢印キーの入力を示す信号を受信したか否かを確認する（Ｓ１０７）。入力キー１０７又は矢印キー１０８が押下された場合には（Ｓ１０７：ＹＥＳ）、認証フラグに「ＯＮ」を示す「１」がセットされ、認証状態となっているか否かを確認する（Ｓ１０８）。認証状態でない場合には（Ｓ１０８：ＮＯ）、入力キー１０７又は矢印キー１０８の入力を受け付けないので、なにもせずにＳ９６へ戻る。認証状態である場合には（Ｓ１０８：ＹＥＳ）、入力信号にしたがって画面処理を行い（Ｓ１０９）、Ｓ９６へ戻る。この画面処理は、監視モード画面１０１ａでは、報知画面の切り替えであり、履歴モード画面１０１ｂでは、監視データが表示されている行の送りである。
【０１２４】
さらに、入力キー１０７又は矢印キー１０８が押下されていない場合には（Ｓ１０７：ＮＯ）、停止ボタン１０２が押下され、警告ランプ１０９の消灯を指示する信号を受信したか否かを確認する（Ｓ１１０）。停止ボタン１０２が押下された場合には（Ｓ１１０：ＹＥＳ）、認証フラグに「ＯＮ」を示す「１」がセットされ、認証状態となっているか否かを確認する（Ｓ１１１）。認証状態でない場合には（Ｓ１１１：ＮＯ）、停止ボタン１０２の入力を受け付けないので、なにもせずにＳ９６へ戻る。認証状態である場合には（Ｓ１１１：ＹＥＳ）、警告ランプ１０９を消灯させ（Ｓ１１２）、Ｓ９６へ戻る。
【０１２５】
さらに、停止ボタン１０２が押下されていない場合には（Ｓ１１０：ＮＯ）、クリアボタン１０５が押下され、クリアボタン１０５の入力を示す信号を受信したか否かを確認する（Ｓ１１３）。クリアボタン１０５が押下された場合には（Ｓ１１３：ＹＥＳ）、認証フラグに「ＯＮ」を示す「１」がセットされ、認証状態となっているか否かを確認する（Ｓ１１４）。認証状態でない場合には（Ｓ１０２：ＮＯ）、クリアボタン１０５の入力を受け付けないので、なにもせずにＳ９６へ戻る。認証状態である場合には（Ｓ１１４：ＹＥＳ）、監視モード画面が表示されているか否かを確認する（Ｓ１１５）。これは、モードフラグの値が「１」であるか否かにより判断する。モードフラグの値が「１」でなく、監視モード画面でない場合には（Ｓ１１５：ＮＯ）、表示画面１０１には履歴モード画面が表示されているので、監視履歴情報１１４２の削除処理を行い（Ｓ１１６）、Ｓ９６へ戻る。
【０１２６】
尚、Ｓ１１６の削除処理では、図２１に示す＜動作例１＞の入力受付処理のＳ６６と同様の処理を行うが、入力キー１０７及び矢印キー１０８からの入力がある度に、認証フラグにより認証状態であるか否かの確認を行い、認証フラグに「１」がセットされて「ＯＮ」となっていない場合には、入力を受け付けないものとする。
【０１２７】
また、モードフラグの値が「１」である場合には、監視モード画面であるので（Ｓ１１５：ＹＥＳ）、現在表示されている報知画面を消去する消去処理を行う（Ｓ１１７）。ここで、複数の報知画面が表示されている場合には、１番手前に表示されている報知画面を消去する。また、報知画面がなくなった場合には、「現在、エラーは発生していません。」等の報知すべきエラーがパチンコ機１に発生していないことを示す旨のメッセージを表示する。さらに、消去する際には、「消去してもよろしいですか？」等の消去を行うことの確認を促すメッセージ、確認ボタン及びキャンセルボタンを表示した確認画面を表示し、確認ボタンが選択された場合のみ消去する。キャンセルボタンが選択された場合には、消去しない。そして、Ｓ９６へ戻る。また、クリアボタン１０５が押下されていない場合には（Ｓ１１３：ＮＯ）、Ｓ９６へ戻る。上記の作業を繰り返すことにより、入力受付処理は継続して実行される。
【０１２８】
８．実施の形態と請求項との対比
尚、図６に示す監視用ＩＣタグ８６の電気的回路構成を示すブロック図のＥＥＰＲＯＭ８６ｃが監視用ＩＣタグの「識別情報記憶手段」に相当する。また、図１６に示す監視処理のフローチャートのＳ２６及びＳ３０の処理を実行するＣＰＵ３１がＩＣタグ監視装置の「監視情報送信手段」として機能する。
【０１２９】
また、図１８に示す監視履歴情報１１４２を記憶している管理端末装置１００のＥＥＰＲＯＭ１１４（図１０参照）の監視履歴情報記憶エリアが管理端末装置の「監視情報記憶手段」に相当し、図１７に示す認証用登録情報１１４１を記憶している管理端末装置１００のＥＥＰＲＯＭ１１４（図１０参照）の認証用登録情報記憶エリアが管理端末装置の「認証用登録情報記憶手段」に相当し、図１０に示すＲＦ回路１１５及び認証用アンテナ１２８が管理端末装置の「認証用呼出波送信手段」及び「認証用反射波受信手段」に相当し、図９に示す管理端末装置１００の斜視図及び図１０に示す管理端末装置１００の電気的構成を示すブロック図における停止ボタン１０２、監視ボタン１０３、履歴ボタン１０４、クリアボタン１０５、入力キー１０７及び矢印キー１０８が管理端末装置の「入力手段」に相当し、図９に示す管理端末装置１００の斜視図及び図１０に示す管理端末装置１００の電気的構成を示すブロック図における表示画面１０１が管理端末装置の「監視情報表示手段」に相当する。
【０１３０】
また、図２１に示す動作例１の入力受付処理のフローチャートのＳ４６又は図２３に示す動作例２の入力受付処理のフローチャートのＳ９６の処理を実行するＣＰＵ９８が管理端末装置の「監視情報受信手段」として機能し、図２０に示す動作例１の認証処理のフローチャートのＳ８４，Ｓ８５又は図２２に示す動作例２の認証処理のフローチャートのＳ１３３，Ｓ１３４の処理を実行するＣＰＵ９８が管理端末装置の「第１認証判定手段」として機能し、図２１に示す動作例１の入力受付処理のフローチャートのＳ５２，Ｓ５５．Ｓ５８．Ｓ６１，Ｓ６４又は図２３に示す動作例２の入力受付処理のフローチャートのＳ１０２、Ｓ１０５，Ｓ１０８，Ｓ１１１，Ｓ１１４の処理を実行するＣＰＵ９９が管理端末装置の「入力制御手段」として機能し、図２２に示す動作例２の認証処理のフローチャートのＳ１３３，Ｓ１３６の処理を実行するＣＰＵ９８が管理端末装置の「第２認証判定手段」として機能する。図２１に示す動作例１の入力受付処理のフローチャートのＳ６８〜Ｓ７０の処理を実行するＣＰＵ９９が管理端末装置の「認証解除手段」として機能する。
【０１３１】
９．実施の形態の効果
以上説明したように、上記の実施の形態の監視システムでは、監視用ＩＣタグ８６，監視用ＩＣタグ１８６により基板ボックス８０及び大入賞口１６の開放を監視し、その監視情報をＲ／Ｗユニット３０に記憶することができる。また、Ｒ／Ｗユニット３０に記憶された監視情報は、遊技場内に設置された管理端末装置１００にも送信され、記憶される。また、管理端末装置１００からはホールコンピュータ３００へ監視情報が送られて、ホールコンピュータ３００で遊技場内の全てのパチンコ機１の監視情報を管理できるようになっている。
【０１３２】
また、鍵１２１に認証用ＩＣタグ１２６が埋め込まれており、管理端末装置１００の鍵穴１３０に正規の鍵１２１を差し込むことにより、管理端末装置１００が認証状態となり、認証状態であれば、キー及びボタンの入力を受付、係員は操作を行うことができる。また、＜動作例１＞では、鍵１２１が鍵穴１３０から抜かれ、認証用ＩＣタグ１２６から予め管理端末装置１００に登録されているＩＤコードを含む反射波を受信しなくなっても、認証状態は継続し、解除ボタン１１６を押下することにより、認証状態から否認証状態へ戻る。＜動作例２＞では、鍵１２１が鍵穴１３０から抜かれ、認証用ＩＣタグ１２６から予め管理端末装置１００に登録されているＩＤコードを含む反射波を受信しなくなった場合に、認証状態から否認証状態へ戻る。
【０１３３】
１０．変形例の説明
尚、本発明は、以上詳述した実施の形態に限定されるものではなく、種々の変更が可能である。以下に、本発明を適用する実施の形態の変形例について説明する。まず、本実施形態では監視用ＩＣタグを備えた装置として、遊技機の一種であるパチンコ機を例に挙げているが、監視用ＩＣタグを備えた装置は遊技機であるパチンコ機に限られず、パチコン機、パチスロ台等の各種の遊技機に適用可能である。さらに、遊技機に限らず、所定の動作を行って製品を製造する工作機械、所定の動作を行って商品を販売する自動販売機、所定の動作を行ってサービスを提供するサービス提供装置等にも適用可能である。
【０１３４】
また、上記実施の形態では、移動を監視される被監視部材としてパチンコ機１の基板ボックス８０及び大入賞口１６を扱い、夫々一箇所に監視用ＩＣタグを設置したが、移動を監視される部材はこれに限らず、他の入賞口や普通図柄始動ゲート、センターカバー９０や各種基板に設置して、その開閉状態を監視してもよい。また、本体枠１１０、前面枠１１１又は機枠１１２に監視用ＩＣタグを備え、前面枠１１１と本体枠１１０、本体枠１１０と機枠１１２の開閉を監視してもよい。また、監視用ＩＣタグを設置する場所は各部材に一箇所である必要はなく、複数の位置に設置してもよい。さらに、装置がパチンコ機１でない場合にはもちろん、移動を監視される部材は上記実施の形態の部材に限らず、装置に備えられ、開閉が行われる開閉部材や装置を構成する構成部材であればよく、開閉部材の開閉や構成部材の所在を監視するために、１つ又は複数の監視用ＩＣタグを開閉部材や構成部材に設置して、その部材の移動を監視してもよい。
【０１３５】
また、上記実施の形態では、管理端末装置１００を夜間にも稼働させ、常時Ｒ／Ｗユニット３０から監視情報の送信を受けているが、管理端末装置１００の稼働形態はこれに限らず、夜間（営業時間外）は管理端末装置１００の電源を切り、Ｒ／Ｗユニット３０に管理端末装置１００が稼働していない間の監視情報を記憶させ、管理端末装置１００起動後に送信させるようにしてもよい。
【０１３６】
また、上記実施の形態では認証用登録情報１１４１に記憶できる認証用ＩＣタグ１２６のＩＤコードを８個として扱ったが、これは８個に限らずそれ以上であっても、以下であってもよく、１つであってもよい。また、上記実施の形態では、認証用ＩＣタグ１２６を鍵１２１に埋め込ませたが、認証用ＩＣタグ１２６を備えた認証部材は必ずしも鍵１２１に埋め込まれている必要はなく、操作担当者の名札や身分証、制服、筆記用具等に埋め込まれていてもよく、また、認証部材として単独で存在していてもよく、形状もカード型のプラスチック板、指輪型、スティック型、布地への埋め込みなどでもよい。
【０１３７】
また、上記実施の形態では、認証処理を行うプログラムを入力受付処理とは別プログラムで実施しているが、入力受付処理の中で認証処理を行い、各キー又はボタンからの入力信号を受け付けた際に、認証用呼出波を送信して、認証状態へ移行するか否かの判断を行ってもよい。
【発明の効果】
以上、説明したように、請求項１に係る発明の監視システムでは、監視システムの認証部材に備えられた認証用ＩＣタグは、他のＩＣタグと区別するための識別情報を記憶することができる。また、装置のＩＣタグ監視装置は、監視用ＩＣタグと通信を行って監視用ＩＣタグを監視し、監視情報を作成することができる。また、監視用ＩＣタグの識別情報記憶手段は、他のＩＣタグと区別するための識別情報を記憶することができる。また、ＩＣタグ監視装置の監視情報送信手段は、監視情報を管理端末装置に送信することができる。また、管理端末装置の入力手段は、管理端末装置を操作するための指示を入力し、監視情報受信手段は、監視情報送信手段から送信された監視情報を受信し、監視情報記憶手段は、監視情報受信手段が受信した監視情報を記憶し、監視情報表示手段は、監視情報記憶手段に記憶されている監視情報を表示し、認証用登録情報記憶手段は、認証用ＩＣタグを監視するための情報である認証用登録情報を記憶し、認証用呼出波送信手段は、認証用ＩＣタグを呼び出す認証用呼出波を送信し、認証用反射波受信手段は、認証用ＩＣタグから返送される認証用反射波を受信し、第１認証判定手段は、認証用反射波受信手段が、認証用登録情報記憶手段に記憶されている認証用登録情報の中の識別情報と同一の識別情報を含む認証用反射波を受信した場合に、管理端末装置を認証状態とし、入力制御手段は、管理端末装置が認証状態である場合にのみ、入力手段による入力を可能とすることができる。したがって、管理端末装置を操作するための入力は、認証部材により認証状態とされている場合にのみ行われるので、誰にでも行えるわけではなく、認証部材を使用できる者にしか行えない。よって、認証部材を持たず、権限を有しない者に勝手に監視履歴を閲覧されたり、削除されたりすることはない。
【０１３８】
また、請求項２に係る発明の監視システムでは、請求項１に記載の発明の効果に加えて、管理端末装置の認証解除手段は、入力手段から特定の信号の入力がある場合に、認証状態を否認証状態へ移行することができる。したがって、管理端末装置で操作を行う場合に、初めに認証状態とさせておけば、特定の信号、例えば特定のボタンやキーを押下したり、タッチパネル画面で特定の場所に触れたりすることに発生する信号の入力があるまでは、認証状態が継続し、特定の信号が入力された場合に、認証状態が終了して、否認証状態となるので、認証部材が必要となるのは、操作の開始時点だけである。よって、複数の係員により複数の管理端末装置を操作する必要がある場合に、鍵が係員の数だけ存在しない場合には、便利である。また、管理端末装置に認証部材を認証させる際に、係員が認証部材を保持していなくてはならない構造である場合には、認証部材を保持しながら、キーやボタン操作を行うのは、手間がかかる。そこで、初めに認証状態とし、その後はは認証状態が継続すれば、認証部材を保持する必要がなく、係員は操作がし易くなる。
【０１３９】
また、請求項３に係る発明の監視システムでは、請求項１に記載の発明の効果に加えて、管理端末装置の第２認証判定手段は、認証用反射波受信手段が認証用登録情報記憶手段に記憶されている認証用登録情報の中の識別情報と同一の識別情報を含む認証用反射波を受信しない場合に、管理端末装置を否認証状態とすることができる。したがって、管理端末装置が認証部材を認証しなくなると、否認証状態となるので、管理端末装置を操作している間には必ず認証部材が必要となる。
【０１４０】
また、請求項４に係る発明の監視システムでは、請求項１に記載の発明の効果に加えて、監視情報は、装置の部材の移動が発生した日付、時刻、監視結果及び前記監視用ＩＣタグが備えられている位置を特定する位置特定符号の少なくとも１つを含む履歴データを用いることができる。したがって、監視用ＩＣタグによる監視に関する情報である監視情報の削除は、管理端末装置が認証状態である場合にのみ削除される。
【０１４１】
また、請求項５に係る発明の監視システムでは、請求項１乃至４のいずれかに記載の発明の効果に加えて、装置は遊技機を用いることができる。したがって、監視用ＩＣタグによる遊技機の部材の移動の監視に関する情報である監視情報の削除は、管理端末装置が認証状態である場合にのみ削除される。
【０１４２】
また、請求項６に係る発明の監視システムでは、請求項５に記載の発明の効果に加えて、遊技機の機枠は、遊技機を設置する遊技機設置台に遊技機を固定し、本体枠は、遊技機の本体を機枠に設置し、前面枠は、遊技球が流下する遊技領域を保護することができる。また、施錠装置は鍵と錠とで構成され、機枠と本体枠、及び本体枠と前面枠とを施錠し、鍵は認証部材を備えることができる。したがって、装置が遊技機である場合には、管理端末装置を認証状態とする認証部材と遊技機の機枠と本体枠、及び本体枠と前面枠とを施錠する鍵とを共用することができるので、遊技場係員は多数の鍵を所有、管理する必要がない。
【０１４３】
また、請求項７に係る発明の監視システムでは、請求項１乃至６のいずれかに記載の発明の効果に加えて、管理端末装置の施錠装置は、鍵と錠とで構成され、鍵は認証部材を備えることができる。認証部材は管理端末装置の鍵と兼用することができる。したがって、管理端末装置を認証状態とする認証部材を、管理端末装置を施錠する鍵と共用することができる。
【０１４４】
また、請求項８に係る発明の管理端末装置では、入力手段は、管理端末装置を操作するための指示を入力し、監視情報受信手段は、ＩＣタグ監視装置から送信された監視情報を受信し、監視情報記憶手段は、監視情報受信手段が受信した監視情報を記憶し、監視情報表示手段は、監視情報記憶手段に記憶されている監視情報を表示し、認証用登録情報記憶手段は、認証用ＩＣタグを監視するための情報である認証用登録情報を記憶し、認証用呼出波送信手段は、認証用ＩＣタグを呼び出す認証用呼出波を送信し、認証用反射波受信手段は、認証用ＩＣタグから返送される認証用反射波を受信し、第１認証判定手段は、認証用反射波受信手段が、認証用登録情報記憶手段に記憶されている認証用登録情報の中の識別情報と同一の識別情報を含む認証用反射波を受信した場合に、管理端末装置を認証状態とし、入力制御手段は、管理端末装置が認証状態である場合にのみ、入力手段による入力を可能とすることができる。
【０１４５】
また、請求項９に係る発明の管理端末装置では、請求項８に記載の発明の効果に加えて、認証解除手段は、入力手段から特定の信号の入力がある場合に、認証状態を否認証状態へ移行することができる。
【０１４６】
また、請求項１０に係る発明の管理端末装置では、請求項８に記載の発明の効果に加えて、第２認証判定手段は、認証用反射波受信手段が認証用登録情報記憶手段に記憶されている認証用登録情報の中の識別情報と同一の識別情報を含む認証用反射波を受信しない場合に、管理端末装置を否認証状態とすることができる。
【０１４７】
また、請求項１１に係る発明の管理端末装置では、請求項８に記載の発明の効果に加えて、監視情報は、装置の部材の移動が発生した日付、時刻、監視結果及び前記監視用ＩＣタグが備えられている位置を特定する位置特定符号の少なくとも１つを含む履歴データを用いることができる。
【０１４８】
また、請求項１２に係る発明の管理端末装置では、請求項８乃至１１のいずれかに記載の発明の効果に加えて、装置は遊技機を用いることができる。
【０１４９】
また、請求項１３に係る発明の管理端末装置では、請求項１２に記載の発明の効果に加えて、遊技機の機枠は、遊技機を設置する遊技機設置台に遊技機を固定し、本体枠は、遊技機の本体を機枠に設置し、前面枠は、遊技球が流下する遊技領域を保護することができる。また、施錠装置は鍵と錠とで構成され、機枠と本体枠、及び本体枠と前面枠とを施錠し、鍵は認証部材を備えることができる。
【０１５０】
また、請求項１４に係る発明の管理端末装置では、請求項８乃至１３いずれかに記載の発明の効果に加えて、扉は管理端末装置の内部を開放し、鍵と錠とで構成された施錠装置は扉を施錠することができる。また、鍵は認証部材を備えることができる。
【図面の簡単な説明】
【図１】図１は、本実施の形態の監視システムの構成図である。
【図２】図２は、パチンコ機１の前面枠１１１及び本体枠１１０を開いた状態をパチンコ機１の前面から見た斜視図である。
【図３】図３はパチンコ機１の背面図である。
【図４】図４は、パチンコ機１及びパチンコ機１に付属したＲ／Ｗユニット３０の電気的構成を示すブロック図である。
【図５】図５は、監視用ＩＣタグ８６の平面図である。
【図６】図６は、監視用ＩＣタグ８６の電気的回路構成を示すブロック図である。
【図７】図７は、基板ボックス８０の斜視図である。
【図８】図８は、開閉扉１６ａが開放されている状態のアタッカ部材１６０の斜視図である。
【図９】図９は、管理端末装置１００の斜視図である。
【図１０】図１０は、管理端末装置１００の電気的構成を示すブロック図である。
【図１１】図１１は、鍵１２１の平面図である。
【図１２】図１２は、Ｒ／Ｗユニット３０のＥＥＰＲＯＭ３２の登録情報記憶エリアに記憶されている登録情報３２１の模式図である。
【図１３】図１３は、Ｒ／Ｗユニット３０のＲＡＭ３３の監視処理使用データ記憶エリアに記憶されている監視処理使用データ３３１の模式図である。
【図１４】図１４は、Ｒ／Ｗユニット３０のＥＥＰＲＯＭ３２の監視情報記憶エリアに記憶されている監視情報３２２の模式図である。
【図１５】図１５は、Ｒ／Ｗユニット３０で行われるメイン処理のフローチャートである。
【図１６】図１６は、Ｒ／Ｗユニット３０で行われるメイン処理の中で行われる監視処理のフローチャートである。
【図１７】図１７は、管理端末装置１００のＥＥＰＲＯＭ１１４に記憶されている認証用登録情報１１４１の模式図である。
【図１８】図１８は、管理端末装置１００のＥＥＰＲＯＭ１１４の監視履歴情報記憶エリアに記憶されている監視履歴情報１１４２の模式図である。
【図１９】図１９は、履歴モード画面１０１ｂのイメージ図である。
【図２０】図２０は、＜動作例１＞の認証処理のフローチャートである。
【図２１】図２１は、＜動作例１＞の入力受付処理のフローチャートである。
【図２２】図２２は、＜動作例２＞の認証処理のフローチャートである。
【図２３】図２３は、＜動作例２＞の入力受付処理のフローチャートである。
【符号の説明】
１  パチンコ機
１６  大入賞口
１６ａ  開閉扉
３０  Ｒ／Ｗユニット
３１  ＣＰＵ
３２  ＥＥＰＲＯＭ
３５  ＲＦ回路
５１  ＣＰＵ
８０  基板ボックス
８０ａ  上蓋部
８６  監視用ＩＣタグ
８６ａ  ＲＦ回路
８６ｂ  アンテナ
８６ｃ  ＥＥＰＲＯＭ
９８  ＣＰＵ
１００  管理端末装置
１０１  表示画面
１０１ａ  監視モード画面
１０１ｂ  履歴モード画面
１０２  停止ボタン
１０３  監視ボタン
１０４  履歴ボタン
１０５  クリアボタン
１０６  認証ランプ
１０７  入力キー
１０８  矢印キー
１１０  本体枠
１１１  前面枠
１１２  機枠
１１３  本体
１１４  ＥＥＰＲＯＭ
１１４１  認証用登録情報
１１４２  監視履歴情報
１１５  ＲＦ回路
１１６  解除ボタン
１１８  操作扉
１２０  鍵穴
１２１  鍵
１２６  認証用ＩＣタグ
１２８  認証用アンテナ
１３０  鍵穴
１８６  監視用ＩＣタグ
３２１  登録情報
３２２  監視情報
【図１】
2004240468.tif 000003
【図２】
2004240468.tif 000004
【図３】
2004240468.tif 000005
【図４】
2004240468.tif 000006
【図５】
2004240468.tif 000007
【図６】
2004240468.tif 000008
【図７】
2004240468.tif 000009
【図８】
2004240468.tif 000010
【図９】
2004240468.tif 000011
【図１０】
2004240468.tif 000012
【図１１】
2004240468.tif 000013
【図１２】
2004240468.tif 000014
【図１３】
2004240468.tif 000015
【図１４】
2004240468.tif 000016
【図１５】
2004240468.tif 000017
【図１６】
2004240468.tif 000018
【図１７】
2004240468.tif 000019
【図１８】
2004240468.tif 000020
【図１９】
2004240468.tif 000021
【図２０】
2004240468.tif 000022
【図２１】
2004240468.tif 000023
【図２２】
2004240468.tif 000024
【図２３】
2004240468.tif 000025